(57)【特許請求の範囲】
【請求項１】
図面情報を記憶した図面記憶手段から隔離対象機器を含む図面を検索する図面検索手段と、
前記図面検索手段で検索した図面上の機器が指定されると、該機器に接続されている次の操作機器を隔離境界として隔離範囲を決定し、該隔離範囲に存在する操作対象機器の各々に隔離のための操作状態を設定する隔離時操作状態設定手段と、
前記隔離時操作状態設定手段で設定された前記隔離範囲に存在する操作対象機器の各々の操作状態によって、警報信号を出力する場合に、その警報信号を前記機器及び前記操作対象機器に関係付けて隔離情報リストに登録する隔離情報リスト作成手段と、
前記隔離情報リスト作成手段で作成された前記隔離情報リストを蓄積する隔離情報リスト蓄積手段と、
前記警報信号を指定して、前記隔離情報リスト記憶手段に蓄積された前記隔離情報リストから前記隔離対象機器又は前記操作対象機器を検索して、前記警報信号の原因となる機器を推定する警報信号原因推定手段と、を備えることを特徴とするプラント設備管理保守支援システム。
【請求項２】
前記警報信号原因推定手段は、更に前記警報信号の原因となる機器を含む図面を前記図面記憶手段から検索することを特徴とする請求項１に記載のプラント設備管理保守支援システム。
【請求項３】
計算機が、
図面情報を記憶した図面記憶手段から隔離対象機器を含む図面を検索する図面検索工程と、
前記図面検索工程で検索した図面上の機器が指定されると、該機器に接続されている次の操作機器を隔離境界として隔離範囲を決定し、該隔離範囲に存在する操作対象機器の各々に隔離のための操作状態を設定する隔離時操作状態設定工程と、
前記隔離時操作状態設定工程で設定された前記隔離範囲に存在する操作対象機器の各々の操作状態によって、警報信号を出力する場合に、その警報信号を前記機器及び前記操作対象機器に関係付けて隔離情報リストに登録する隔離情報リスト作成工程と、
前記隔離情報リスト作成工程で作成された前記隔離情報リストを、隔離情報リスト蓄積手段に蓄積する隔離情報リスト蓄積工程と、
前記警報信号を指定して、前記隔離情報リスト記憶手段に蓄積された前記隔離情報リストから前記隔離対象機器又は前記操作対象機器を検索して、前記警報信号の原因となる機器を推定する警報信号原因推定工程と、
を実行させることを特徴とする管理保守方法。
【請求項４】
前記警報信号原因推定工程において、更に前記警報信号の原因となる機器を含む図面を前記図面記憶手段から検索することを特徴とする請求項３に記載の管理保守方法。
【発明の詳細な説明】
【技術分野】
【０００１】
本発明は、プラントの警報等障害発生時に発生源を特定できるように支援し、効率的なトラブルシューティングを支援するプラント設備管理保守支援システム及び管理保守方法に関する。
【背景技術】
【０００２】
従来、例えば、特許文献１，２には、Ｐ＆ＩＤ（Piping & Instrumentation Diagram：系統図、配管計装線図）、単線結線図等のＣＡＤ（Computer Aided Design）図面上に書かれている機器情報（例えば、機種−系統−デバイス（機器番号））と、図面のシート番号の関連付けを利用して、自動検索し、プラントの機器の保守作業を行う際の隔離範囲を図面上で決定する技術が記載されている。
そして、その隔離範囲の中には、隔離範囲の中に含まれる機器を、例えば、オン・オフ動作制御させるスイッチのオフ状態維持のタグの取り付けによる隔離作業や、隔離範囲の中に含まれる機器から出力される信号を用いて警報動作をさせる関連計装の警報信号や下流側で制御をする関連制御装置への制御信号を、制御装置の筺体内の配線の端子を、浮かせたり、ジャンパを取り付けたりして、制御や警報のバイパス処理をする作業が含まれる。
【０００３】
例えば、警報動作をさせる関連計装の詳細は、ＣＡＤ図面の形で、ソフトロジック図の警報出力関係図、ＰＩ／Ｏ（Process Input Output）テーブル図の警報出力関係図及びＥＣＷＤ（Elementary Control Wiring Diagram：制御装置展開接続図）の警報出力関係図に記載されている。そして、隔離範囲の中に含まれる機器をＥＣＷＤの複数の関連図面間で見落としなく隔離する境界とする制御装置の筺体内の端子やスイッチを設定する技術が特許文献３に記載されている。
ちなみに、プラントメーカによっては、ＰＩ／Ｏテーブル図は、ソフトロジック図の付帯図面としてソフトロジック図面集の中に含める場合もあるが、ここでは、分かり易いように別呼称として扱う。
【０００４】
これまでは、プラントメーカから顧客へは、紙に印刷された上流図書である系統仕様書（Ｐ＆ＩＤ及び単線結線図を含む）及び論理的な信号をブロック線図で表しているＩＢＤ（Interlock Blok Diagram：インターロックブロック線図）とともに、紙に印刷されたハード図面の形でソフトロジック図、ＰＩ／Ｏテーブル図、ＥＣＷＤ等の詳細設計図書が納入されている。
【０００５】
ところで、ＩＢＤは、現在のところプラントメーカにおいてもＣＡＤ図面の形では作成されておらず、ＣＡＤ図面であるソフトロジック図やＰＩ／Ｏテーブル図の警報出力関係の図面と属性情報で関連付けて、ＩＢＤからソフトロジック図やＰＩ／Ｏテーブル図やＥＣＷＤを図面検索したり、逆にソフトロジック図やＰＩ／Ｏテーブル図やＥＣＷＤからＩＢＤを図面検索したりできるようにはなっていない。
なお、原子力発電プラントの例では、ＩＢＤの図面は数千枚、ソフトロジック図の図面は数万枚、ＥＣＷＤの図面は約1万枚もの膨大な図面である。
【先行技術文献】
【特許文献】
【０００６】
【特許文献１】特開２００３−２０２９２０号公報
【特許文献２】特開２００６−１７８５９８号公報
【特許文献３】特開２００８−１９１７２５号公報
【発明の概要】
【発明が解決しようとする課題】
【０００７】
ところで、運転中のプラントにおいて故障や異常を示す警報信号が発生した場合に、顧客は、そのトラブルシューティングを行うために、更には分厚い図面集である物理的な信号を表しているソフトロジック図及びＥＣＷＤ、図面集である論理的な信号をブロック線図で表しているＩＢＤ等を追跡して、故障の発生源や影響範囲の特定の判断を行う。しかし、ＩＢＤとソフトロジック図、ＰＩ／Ｏテーブル図及びＥＣＷＤとの図面間において、図面間のシート番号（シートＮｏ）を関係付ける属性情報が記載されていないため、経験を積んで図面間の関係を理解している技術者でないと、上流図書であるＩＢＤと詳細設計図書であるソフトロジック図、ＰＩ／Ｏテーブル図及びＥＣＷＤを関係付けて検索を行い、故障の発生源や影響範囲の特定の判断を行うのに時間を要し、迅速な対応ができないという問題があった。
【０００８】
具体的には、現状では、経験の豊富な技術者が、警報を基に上流図書のＩＢＤの図面情報から関連するソフトロジック図、ＰＩ／Ｏテーブル図及びＥＣＷＤの図面に記載された信号名称（文字情報）、論理パターン（ＡＮＤ論理符号、ＯＲ論理符号、ＷＩＴＨ論理符号、ＷＩＴＨＯＵＴ論理符号、ＮＡＮＤ論理符号、ＮＯＲ論理符号、ＮＯＴ論理符号等）の情報に基づいて、警報を出力する信号の上流側に向かって、関連機器を辿って異常や故障の発生源の特定と影響範囲の調査を手作業で、前記した多種の図面間を渡って確認していく。そのため、異常や故障の発生源の特定と影響範囲の調査非常に時間と手間が掛かり、効率が悪いという問題があった。
【０００９】
例えば、原子力発電所の中央制御室において原子力発電プラントの運転状態を監視する監視装置の監視画面に、最終的な異常や故障等を示す警報が表示されて、ＩＢＤの当該警報の記載されているシートＮｏを見つけても、当該警報の出力に到る大元の機器等をその当該警報に対応させることは、例えＩＢＤがＣＡＤ図面として登録されていても可能性のある機器等が多すぎ、属性情報としてＥＣＷＤ又はソフトロジック図の図面の各機器と関係付けることは、属性情報の入力の労力が多く掛かるだけで、大元の故障や異常を示している機器等を迅速に推定する助けにはならない。
【００１０】
本発明は、前記した従来の課題を解決するものであり、上流図書であるＩＢＤの警報信号から詳細設計図書を検索して、その警報の大元を迅速に推測したり、影響範囲を迅速に調査したりすることが可能な管理保守支援システム及び管理保守方法を提供することを目的とする。
【課題を解決するための手段】
【００１１】
前記課題を解決するために、本発明は、図面情報を記憶した図面記憶手段から隔離対象機器を含む図面を検索する図面検索手段と、前記図面検索手段で検索した図面上の機器が指定されると、該機器に接続されている次の操作機器を隔離境界として隔離範囲を決定し、該隔離範囲に存在する操作対象機器の各々に隔離のための操作状態を設定する隔離時操作状態設定手段と、前記隔離時操作状態設定手段で設定された前記隔離範囲に存在する操作対象機器の各々の操作状態によって、下流側に警報信号を出力する場合に、その警報信号を前記機器及び前記操作対象機器に関係付けて隔離情報リストに登録する隔離情報リスト作成手段と、前記隔離情報リスト作成手段で作成された前記隔離情報リストを、隔離情報リスト記憶手段に蓄積する隔離情報リスト蓄積手段と、前記警報信号を指定して、前記隔離情報リスト記憶手段に蓄積された前記隔離情報リストから前記隔離対象機器又は前記操作対象機器を検索して、前記警報信号の原因となる機器を推定する警報信号原因推定手段と、を備えることを特徴とする。
【００１２】
このとき、警報信号原因推定手段は、更に前記警報信号の原因となる機器を含む図面を図面記憶手段から検索して提示することが望ましい。
【発明の効果】
【００１３】
本発明によれば、保守点検工事の際に作成される隔離情報リストを蓄積して、蓄積された隔離情報リストから隔離対象機器又は操作対象機器を検索して、警報信号の原因となる機器を推定することができる。
【図面の簡単な説明】
【００１４】
【図１】本発明の実施形態に係るプラント設備管理保守支援システムにおける顧客側（管理側）システムと業者側（実施側）システムの全体構成を示すブロック図である。
【図２】作業管理サーバ計算機（管理側）の構成と機能を説明する図である。
【図３】現場保守支援サーバ計算機（実施側）の構成と機能を説明する図である。
【図４】ＣＡＤ図面である系統図（Ｐ＆ＩＤ）、単線結線図、ＥＣＷＤ、ロジック図及びＰＩ／Ｏテーブル図それぞれの間の属性情報による相互関係付けと、ＩＢＤを隔離−警報関係ＤＢを介して系統図（Ｐ＆ＩＤ）、単線結線図、ＥＣＷＤ、ロジック図及びＰＩ／Ｏテーブル図それぞれに関係付ける模式説明図である。
【図５】系統図（Ｐ＆ＩＤ）の一部を示し、隔離対象の機器と隔離範囲を説明する図である。
【図６】図５に示されたＰ＆ＩＤに関係する部分を示す単線結線図を示し、隔離対象の機器と隔離範囲を説明する図である。
【図７】隔離警報欄、参考非隔離警報欄を含む養生リスト（隔離リスト）の作成途中の書式の説明図である。
【図８】図７の続きである。
【図９】図７の続きである。
【図１０】ＥＣＷＤの図面例として警報出力関係のＥＣＷＤの図面の１シートを説明する図である。
【図１１】ソフトロジック図の図面例として警報出力関係のソフトロジック図の図面の１シートを説明する図である。
【図１２】ＰＩ／Ｏテーブル図の図面例として警報出力関係のＰＩ／Ｏテーブル図の図面の１シートを説明する図である。
【図１３】ＩＢＤの図面例として警報出力関係のＩＢＤの図面の１シートを説明する図である。
【図１４】実施側の担当者、管理者側の担当者、現場の実施側の担当者の各作業の流れと、プラント設備管理保守支援システムによる制御の流れを示したフローチャートである。
【図１５】図１４の続きである。
【図１６】養生リスト（隔離リスト）の生成及び隔離−警報関係付けリスト作成の流れを示すフローチャートである。
【図１７】図１６の続きである。
【図１８】図１７の続きである。
【図１９】図１６の続きである。
【図２０】図１６の続きである。
【図２１】隔離−警報関係付けリストの書式の説明図である。  検索入力画面の構成を示す図である。
【図２２】新規の隔離−警報関係付けリストを隔離−警報関係ＤＢに蓄積する制御の流れを示すフローチャートである。
【図２３】故障警報原因検索サーバ計算機における隔離−警報関係ＤＢと図面ＤＢを用いた警報信号発生の原因機器を検索する制御の流れを示すフローチャートである。
【図２４】図２３の続きである。
【図２５】図２３の続きである。
【発明を実施するための形態】
【００１５】
本発明の実施形態に係るプラント設備管理保守支援システムについて、図面を参照しながら以下詳細に説明する。ここで、本実施形態は、保守点検作業を要する複数設備からなる顧客（管理側）施設、例えば、原子力発電プラントにおいて、保守点検作業を顧客（管理側）から受注した業者（実施側）が、受注内容にしたがって保守点検作業を行う場合を想定している。発注情報は事前に作成されており、発注情報データベース（発注情報ＤＢ）に格納されているものとする。
【００１６】
《プラント設備管理保守支援システムの全体構成》
図１は本発明の実施形態に係るプラント設備管理保守支援システムにおける顧客側（管理側）システムと業者側（実施側）システムの全体構成を示すブロック図である。図２は、本実施形態に係るプラント設備管理保守支援システムにおける作業管理サーバ計算機（管理側）の構成と機能を説明する図である。図３は、本実施形態に係るプラント設備管理保守支援システムにおける現場保守支援サーバ計算機（実施側）の構成と機能を説明する図である。
【００１７】
図１に示すようにプラント設備管理保守支援システム１は、例えば、原子力発電所内のネットワーク３と、ネットワーク３に接続された顧客保全管理部門の管理端末装置７、設備管理サーバ計算機１００、作業管理サーバ計算機（計算機）２００、故障警報原因検索サーバ計算機（警報信号原因推定手段、計算機）６００等と、ネットワーク３に接続された顧客運転部門の中央制御室端末装置４と、ネットワーク３に接続された業者現場保守管理部門の現場保守端末装置９、現場保守支援サーバ計算機（計算機）３００、工具・器材管理サーバ計算機４００、計器・試験装置管理サーバ計算機５００等と、ネットワーク３に接続された現場ネットワーク５と、現場ネットワーク５に接続された無線ターミナル１１と、無線ターミナル１１と無線通信可能な携帯端末装置１３と、公衆ネットワークであるネットワーク６を介してネットワーク３に接続する企業内ネットワーク８と、企業内ネットワーク８に接続するメーカ技術設計部門のＣＡＤ（Computer Aided Design）設計端末装置１０、設計データ管理サーバ計算機７００とを含んで構成されている。
各サーバ計算機１００，２００，３００，４００，５００，６００，７００は後記する各種データベース（ＤＢ）を格納する記憶装置と接続している。
【００１８】
中央制御室端末装置４、管理端末装置７、現場保守端末装置９及び設計端末装置１０は、図示しない表示装置、キーボード、マウス、ワークファイル４ａ，７ａ，９ａ，１０ａを格納するハードディスク等の記憶装置を備えたパーソナルコンピュータ又はエンジニアリングワークステーションである。
管理端末装置７は、設備管理サーバ計算機１００、作業管理サーバ計算機２００及び故障警報原因検索サーバ計算機６００の後記する各種機能を利用するインターフェースプログラムを搭載している。顧客保全管理部門の操作者は、管理端末装置７を操作して前記した各種サーバ計算機１００，２００，６００を利用する。
【００１９】
なお、管理端末装置７には、後記する作業票（作業指示書）を印刷するプリンタ７ｂと、後記する作業タグ１５に貼付するＲＦＩＤ（Radio Frequency Identification）タグ１６Ａ付きのシールに、データ書き込みとシール印字をするＲＦＩＤタグプリンタ７ｃを備えたものが配置されている。
【００２０】
中央制御室端末装置４は、故障警報原因検索サーバ計算機６００の後記する機能を利用するインターフェースプログラムを搭載しており、中央制御室にいる操作者は、中央制御室端末装置４を操作して故障警報原因検索サーバ計算機６００を利用することができるように構成されている。
【００２１】
現場保守端末装置９は、現場保守支援サーバ計算機３００、工具・器材管理サーバ計算機４００、計器・試験装置管理サーバ計算機５００の後記する各種機能を利用するインターフェースプログラムを搭載している。業者現場保守管理部門の操作者は、現場保守端末装置９を操作してサーバ計算機３００，４００，５００を利用する。
【００２２】
また、現場において作業員１８等が使用する携帯端末装置１３は、ＲＦＩＤタグリーダ（図示せず）を搭載するとともに、表示装置、キーボード（図示せず）を有した、例えば、小型パーソナルコンピュータである。そして、携帯端末装置１３は、ＲＦＩＤタグ１６Ａ、作業員の個人ＩＤカード１９に内蔵されたＲＦＩＤタグ１６Ｂと通信して少なくともＲＦＩＤタグ１６Ａ，１６ＢのＩＤ情報を読み込むことができるとともに、無線ターミナル１１と通信可能な構成となっている。
【００２３】
現場の例示として図１ではポンプ２０を分解点検する保守作業を想定し、ポンプ２０の吸込み側の隔離弁である電動弁１７Ａ、吐出側の流量調整弁である電動弁１７Ｂを示してある。そして、ポンプ２０を分解点検するため、電動弁１７Ａ，１７Ｂを全閉して隔離している状態を示す作業タグ１５を、電動弁１７Ａ，１７Ｂに、ポンプドレイン弁１７Ｃを全開にして隔離している状態を示す作業タグ１５掛けて注意喚起の表示をしている。ちなみに、各作業タグ１５，１５，１５には、ＲＦＩＤタグ１６Ａ付きのシールがそれぞれ貼り付けられており、そのシールには、系統名、弁名称（弁番号）、作業責任者名等の情報が印刷表示されている。
【００２４】
（設備管理サーバ計算機の構成）
図１に示すように設備管理サーバ計算機１００は、顧客保全管理部門（管理側）が運用するサーバ計算機であり、設備情報データベース（設備情報ＤＢ）１０１と接続し、機能ブロックとして設備更新情報、保守点検記録情報を設備情報ＤＢ１０１に格納する機能を含む設備管理部１００ａを有している。
設備情報ＤＢ１０１のデータ構成は、例えば、特許文献３に記載された図３の（ａ）の表１０２に示すように、機器名データに対応した形式データと、保守点検履歴データと、保守点検内容データと、構成部品データと、構成部品データの交換履歴データと、を含んで構成される。
【００２５】
（作業管理サーバ計算機（管理側）の構成）
図２に示すように作業管理サーバ計算機２００は、管理側が運用するサーバ計算機であり、発注情報データベース（発注情報ＤＢ）２０１、図面データベース（図面ＤＢ）２０３Ｃ、保全管理データベース（保全管理ＤＢ）２０５と接続している。作業管理サーバ計算機２００の機能ブロックとして発注情報管理部２２１、図面管理部（管理側）２２２Ａ、プラント運用ルール管理部２２６Ａ、点検・隔離管理部（管理側）２２７、工程管理部（管理側）２２８、作業票管理部（管理側）２２９を有している。
【００２６】
保全管理ＤＢ２０５は、作業票データベース（作業票ＤＢ）２０６、点検・隔離データベース（点検・隔離ＤＢ）２０７、工程データベース（工程ＤＢ）２０８、要領書データベース（要領書ＤＢ）２０９、報告書データベース（報告書ＤＢ）２１０、隔離−警報関係データベース（隔離−警報関係ＤＢ）２１１を含んでいる。それぞれのＤＢ２０６〜２０８の詳細は、例えば、特許文献３に記載の作業票ＤＢ２０６、点検・隔離ＤＢ２０７、工程ＤＢ２０８と同じであり詳細な記述は省略する。
【００２７】
要領書ＤＢ２０９及び報告書ＤＢ２１０は、業者現場保守管理部門（実施側）から提顧客保全管理部門（管理側）に提出された要領書や報告書を承認返却したものを格納したデータベース（ＤＢ）である。
隔離−警報関係ＤＢ２１１は、隔離リストを実施側が作るときに作成した隔離作業にともなって生じる警報信号に関係する図面情報等を隔離対象の機器と関係付けたリストのＤＢである。このリストの作成方法や内容の詳細については、図７から図９、図２１の説明の中で後記する。
図面ＤＢ２０３Ｃが、特許請求の範囲に記載の「図面記憶手段」に対応する。
【００２８】
なお、発注情報管理部（管理側）２２１、図面管理部（管理側）２２２Ａ、プラント運用ルール管理部２２６Ａ、点検・隔離管理部（管理側）２２７、工程管理部（管理側）２２８、作業票管理部２２９の機能には、管理側に配置された管理端末装置７（図１参照）からはアクセスできるが、実施側の現場保守端末装置９からはアクセスできないように、つまり、実施側から発注情報ＤＢ２０１の発注情報の更新、図面ＤＢ２０３の各種情報の更新、点検・隔離ＤＢ２０７の点検・隔離情報の更新、工程ＤＢ２０８の工程情報の更新、作業票ＤＢ２０６の更新、要領書や報告書の管理側で行うべき調査、承認がなされないように、パスワードとかアクセス端末装置の端末ＩＤによりブロックされるようになっている。
【００２９】
発注情報ＤＢ２０１のデータ構成は、例えば、発注番号データに対応した工事件名データと、保守点検対象機器データと、保守点検対象機器データに対する保守点検内容データと、を含んで構成される。
【００３０】
図面ＤＢ２０３Ｃは、配管計装線図（以下では「Ｐ＆ＩＤ」と称する）情報２０３ａ、単線結線図情報２０３ｂ、制御装置展開接続図（以下では「ＥＣＷＤ（Elementary Control Wiring Diagram）」と称する）情報２０３ｃ、ソフトロジック図情報２０３ｄ、ＰＩ／Ｏ（Process Input Output）テーブル図情報２０３ｅ、ＩＢＤ（Interlock Blok Diagram）情報２０３ｆ、プラント運用ルール情報２０３ｇを含んでいる。
【００３１】
Ｐ＆ＩＤ情報２０３ａは、発電所等の大型プラントにおいては、基本設計情報でありプラントの各部門で共通に利用される２次元又は３次元のＰ＆ＩＤ（系統図）の図面を多数含んだＣＡＤ情報である。また、単線結線図情報２０３ｂはプラントの系統や系統に含まれる設備、機器間の電気的なつながりを相数や線数や空間的位置には関係なく、１本の線で書き表した単線結線図の図面を多数含んだものであり、やはりＣＡＤ情報である。
ＥＣＷＤ情報２０３ｃは、シーケンス図の一種であり、機器の動作についての機能を中心にして、盤や機器の境界とケーブルの接続を同一の図面内に示したＥＣＷＤの図面を多数含んだものであり、ＣＡＤ情報である。
【００３２】
ソフトロジック図情報２０３ｄは、ＥＣＷＤ情報２０３ｃに記載された論理処理回路である機器において、入力信号を処理して出力する信号との関係を論理パターン等で表示したものである。そして、ソフトロジック図は、ＥＣＷＤのどの機器でその論理処理を行っているかを、入力信号名称、入力信号を出力する機器番号、出力信号名称、出力信号の行き先の機器番号等を示す構成のブロック図であり、やはりＣＡＤ情報である。
ＰＩ／Ｏ（Process Input Output）テーブル図情報２０３ｅは、ソフトロジック図における論理パターンや、警報出力、状態表示信号出力に対し、入力信号、出力信号、対応するソフトロジック図のシートＮｏ、接続先の端子番号等の情報をリスト形式で表示し、ソフトロジック図情報２０３ｄの検索用の目次の役目をするものであり、やはりＣＡＤ情報である。
【００３３】
ＩＢＤ（Interlock Blok Diagram）情報２０３ｆは、警報等を出力するロジックダイヤグラムを示したもので、信号名称、その信号名称が記載されているＰＩ／Ｏテーブル図のシートＮｏ等が記載されており、ここではＣＡＤ図面の形で登録されている。
プラント運用ルール情報２０３ｇは、プラントの運転中及び保守点検中におけるプラントの保安の観点から、作動させる必要のある系統、系統を構成する設備、機器のリストアップ、その作動させる必要のある系統、設備、機器の状態（例えば、バックアップ機能が働いていること、必要な多重構成をしていること等）の情報を含んでおり、例えば、ソフトロジック図の形式の情報である。
【００３４】
保全管理ＤＢ２０５に含まれる作業票ＤＢ２０６、点検・隔離ＤＢ２０７、工程ＤＢ２０８の内容は、例えば、特許文献３の段落［００２２］〜［００２６］に詳細に記載されたものと同様のものであり、詳細な記載は省略する。
また、作業タグ１５、ＲＦＩＤタグ１６Ａ、作業票ＤＢ２０６に含まれる作業票情報２０６ａ、作業タグ情報２０６ｂについても、特許文献３の段落［００２２］〜［００２６］に記載されたものと同様のものであり。ちなみに、符号も同じとしてある。
【００３５】
発注情報管理部（管理側）２２１は、発注情報ＤＢ２０１からの情報を、ネットワーク３を通じて実施側に送信する発注情報送信機能を有する。
図面管理部（管理側）２２２Ａは、図面ＤＢ２０３Ｃの前記した各種情報（２０３ａ〜２０３ｆ）を、現在の設備状態に合わせて常に最新のものに更新管理する機能を有する。この各種情報のうち前記した情報２０３ａ〜２０３ｆは、メーカ技術設計部門と顧客保全管理部門との技術調査、承認手続きが終わって、設計データ管理サーバ計算機７００からネットワーク６とネットワーク３とを介して、作業管理サーバ計算機２００に送られてくる。
【００３６】
ちなみに、設計データ管理サーバ計算機７００は、図面ＤＢ２０３Ａと接続し、メーカ技術設計部門としてＰ＆ＩＤ情報２０３ａ、単線結線図情報２０３ｂ、ＥＣＷＤ情報２０３ｃ、ソフトロジック図情報２０３ｄ、ＰＩ／Ｏテーブル図情報２０３ｅ、ＩＢＤ情報２０３ｆを更新管理している。
【００３７】
管理側の担当者は、作業管理サーバ計算機２００の図面管理部（管理側）２２２Ａで設計データ管理サーバ計算機７００から送られてきた新しい情報２０３ａ〜２０３ｆを確認して、ＣＡＤ図面の形で当該の旧情報と更新して図面ＤＢ２０３Ｂに登録する。
作業管理サーバ計算機２００のプラント運用ルール管理部２２６Ａは、前記したプラント運用ルール情報２０３ｇを必要に応じて更新する機能と、その変更を現場保守支援サーバ計算機３００に通知する機能と、プラント運用ルールリストの検索機能を有している。管理側の担当者は、プラント運用ルール管理部２２６Ａのプラント運用ルールリストの検索機能用いて、プラント運転中又はプラントの定期検査工事（定検工事）中の保守点検工事に係るＰ＆ＩＤ、単線結線図、ＥＣＷＤの各隔離範囲や隔離処理が適切か否かをチェックすることができる。
【００３８】
点検・隔離管理部（管理側）２２７は、前記した図面ＤＢ２０３ＣのＰ＆ＩＤ情報２０３ａ、単線結線図情報２０３ｂ、ＥＣＷＤ情報２０３ｃの中の保守点検作業に必要な図面情報を抜き取り、点検・隔離情報に基づき保守点検対象を示したり、隔離処理を施される機器やその機器の境界や、隔離される範囲を示したりして、保守点検工事の進捗に従い、実際のプラントの設備状況に応じて隔離機器の増加、減少を示すように点検・隔離情報を更新管理する。ここで、点検・隔離情報とは、保守点検対象機器の名称や機器番号、そのための隔離箇所、その隔離状態等の情報である。
【００３９】
点検・隔離管理部（管理側）２２７は、作業現場に持ち込まれた携帯端末装置１３からの後記する作業票の指示に従った隔離処理、復旧の作業記録情報を作業タグ管理部２３１で受けて、作業票ＤＢ２０６の作業タグ情報２０６ｂを参照してその作業記録情報を受け付け、作業タグ１５の指定した内容の隔離処理又は復旧処理がなされたとして、点検・隔離ＤＢ２０７の該当する部位に対して隔離処理又は復旧処理済みの情報を追加する。そして、作業管理部（管理側）２２７が点検・隔離ＤＢ２０７の該当する部位に対して隔離処理又は復旧処理を受け付けたことを実施側に返信する。
【００４０】
ここで、作業タグ管理部２３１は、作業票管理部（管理側）２２９の中の機能である後記する作業票作成発行管理部２７１の作業タグ発行支援部２７２を用いて発行された作業タグ１５を、その後実際に取り付けられ、取り外され回収されるまでを管理する機能を有している。このように点検・隔離情報を管理更新するため、点検・隔離管理部（管理側）２２７は作業タグ管理部２３１と、後記する工程管理部（管理側）２２８の機能を運用する工程管理インターフェース２３２を有している。
以下では、ソフトウェアの機能ブロックの名称としてインターフェースという言葉を用いることがあるが、これは、例えば、点検・隔離管理部（管理側）２２７のソフトウェアとは独立のソフトウェアとして構成された工程管理部（管理側）２２８の一部機能又は全ての機能を、点検・隔離管理部（管理側）２２７のソフトウェアから利用できるようにしたソフトウェア機能を指している。
【００４１】
工程管理部（管理側）２２８は、実施側から提出され管理側と協議の上決定された要領書に添付された工程情報を工程ＤＢ２０８に取り込んで、その後、実際の工事の進捗にともなって、それを修正して更新したり、管理側及び実施側の関係部門に送信したりする機能を有している。
作業票管理部（管理側）２２９は、図２に示すように機能ブロックとして大きくは要領書管理部（管理側）２４１、報告書管理部（管理側）２５１、点検・隔離管理（管理側）インターフェース（管理側）２６１、作業票作成発行管理部２７１を含んで構成されている。
【００４２】
先ず、要領書管理部（管理側）２４１について説明する。要領書管理部（管理側）２４１は、実施側が作成して提出した電子情報の形の要領書を管理側の担当者が調査して、コメントがあればコメント編集部２４３を用いてコメントを記載し、更に上司に転送して自分の調査結果を報告し、上司が承認又はコメント付き返却の形で管理側の担当者に返送し、管理側担当者が実施側（提出者）に承認又はコメント付き返却する承認管理をしたりする機能（承認管理部２４２）を有している。つまり、要領書管理部（管理側）２４１は後記する要領書管理部（実施側）３２２と対の構成の電子承認システムを含んだソフトウェアである。
このような、提出された要領書の調査のための機能として、各種ＤＢ例えば、過去の同種の工事作業時の要領書を要領書ＤＢ２０９から検索できるようにしたり、前記した情報２０３ａ〜２０３ｆ中の必要な図面を検索したり、プラント運用ルール情報２０３ｇのルール表を検索したりすることが可能な図書・図面ＤＢ検索部２４４Ａを有している。
【００４３】
次に、報告書管理部（管理側）２５１について説明する。報告書管理部（管理側）２５１は、実施側が作成して提出した電子情報の形の報告書を管理側の担当者が調査して、コメントがあればコメント編集部２５３を用いてコメントを記載し、更に上司に転送して自分の調査結果を報告し、上司が承認、又はコメント付き返却等の形で管理側担当者に返送し、管理側担当者が実施側（提出者）に、承認又はコメント付き返却する承認管理をしたりする機能（承認管理部２５２）を有している。つまり、報告書管理部（管理側）２５１は後記する報告書管理部（実施側）３２３と対の構成の電子承認システムを含んだソフトウェアである。
【００４４】
このような、提出された報告書の調査のための機能として、各種ＤＢ例えば、過去の同種の工事作業時の報告書を報告書ＤＢ２１０から検索できるようにしたり、前記した情報２０３ａ〜２０３ｆ中の必要な図面を検索したり、プラント運用ルール情報２０３ｇのルール表を検索したりすることが可能な図書・図面ＤＢ検索部２４４Ａを有している。また、報告書の中から保守点検工事によって取り替えられた部品や機器や設備等に関する更新情報を抽出して設備更新情報を生成し、設備管理サーバ計算機１００の設備管理部１００ａに送信する機能の設備更新情報生成部２５４を有している。
更に、報告書に添付された後記する隔離−警報関係付けリスト（隔離情報リスト）１４０（図２１参照）を隔離−警報関係ＤＢに登録する隔離−警報関係編集部（隔離情報リスト作成手段）２５５を有している。
【００４５】
点検・隔離管理インターフェース（管理側）２６１は、作業票管理部（管理側）２２９の機能で動作中に点検・隔離管理部（管理側）２２７の機能の全てにモード切換で入れるものであり、工程管理インターフェース２３２、作業タグ管理インターフェース２６２も含んでいる。
【００４６】
作業票作成発行管理部２７１は、管理側が承認した要領書に基づいて要領書中に記載された作業工程に従って、作業のステップ毎に作業内容を実施側に指示する作業票を発行する作業を支援する機能を有する。そして、作業タグ発行支援部２７２は、作業指示の中に作業タグ１５を取り付ける作業指示が含まれる場合に、前もってＲＦＩＤタグ１６Ａ付きのシールを印刷したり、その作業タグ１５の識別情報である作業タグ番号とＲＦＩＤタグ１６ＡのＩＤ情報を関係付けたり、一連の保守点検工事の中で作業タグ番号が重複しないように管理する機能を有する。
【００４７】
（故障警報原因検索サーバ）
図１に戻って、故障警報原因検索サーバ計算機６００は、実施側が提出する報告書に添付されている後記する隔離−警報関係付けリスト１４０（図２１参照）を隔離−警報関係ＤＢ２１１に格納する機能と、中央制御室端末装置４や管理端末装置７からアクセスされたときに、隔離−警報関係ＤＢ２１１と図面ＤＢ２０３Ｃを検索して、警報信号が中央制御室の表示装置に表示されたり、中央制御室の隣室又は階下の部屋に設置された各種制御盤の表示装置に表示されたりした警報信号名称（符号表示）に基づいて、その警報発生の原因となっている機器をつきとめるのを援助する機能を有している。
警報発生の原因となっている機器をつきとめるのを援助する機能については、図２３から図２５の説明で後記する。
【００４８】
（工具・器材管理サーバ計算機の構成）
図１に戻って、工具・器材管理サーバ計算機４００は、管理側及び実施側が管理端末装置７又は現場保守端末装置９を用いて運用するサーバ計算機である。工具・器材管理サーバ計算機４００は、工具管理データベース（工具管理ＤＢ）４０１及び器材管理データベース（器材管理ＤＢ）４０３と接続しており、機能ブロックとして工具の使用持ち込み記録情報、工具の返却記録情報を管理する工具管理部４２１、器材の使用持ち込み記録情報、器材の返却記録情報を管理する器材管理部４２２を有している。
【００４９】
（計器・試験装置管理サーバ計算機の構成）
図１に示すように計器・試験装置管理サーバ計算機５００は、管理側及び実施側が管理端末装置７又は現場保守端末装置９を用いて運用するサーバ計算機である。計器・試験装置管理サーバ計算機５００は、計器管理データベース（計器管理ＤＢ）５０１及び試験装置管理データベース（試験装置管理ＤＢ）５０３と接続しており、機能ブロックとして、計器の使用持ち込み記録情報、計器の返却記録情報を管理する計器管理部５２１、試験装置の使用持ち込み記録情報、試験装置の返却記録情報を管理する試験装置管理部５２２を有している。
【００５０】
（現場保守支援サーバ計算機の構成）
図３に示すように現場保守支援サーバ計算機（実施側）３００は、実施側が運用するサーバ計算機であり、図面ＤＢ２０３Ｂ、工事・作業件名データベース（工事・作業件名ＤＢ）３０１、要領書データベース（要領書ＤＢ）３０２、報告書データベース（報告書ＤＢ）３０３、作業者データベース（作業者ＤＢ）３０４、隔離−警報関係データベース（隔離−警報関係ＤＢ）３０５と接続している。また、機能ブロックとして図面管理部（実施側）２２２Ｂ、プラント運用ルール管理部２２６Ｂ、Ｐ＆ＩＤ隔離作業要領作成支援部２２３、単線結線図隔離作業要領作成支援部２２４、ＥＣＷＤ隔離作業要領作成支援部２２５、発注情報受信部３２１、要領書管理部（実施側）３２２、報告書管理部（実施側）３２３、取替部品登録管理インターフェース３２４、使用計器・試験装置管理インターフェース３２５、使用工具・器材管理インターフェース３２６、点検・隔離管理インターフェース（実施側）３２７、工程管理インターフェース（実施側）３２８、作業者登録部３２９を有している。
図面ＤＢ２０３Ｂが、特許請求の範囲に記載の「図面記憶手段」に対応する。
【００５１】
工事・作業件名ＤＢ３０１は、プラントの定期点検に実施する設備機器に係る保守点検工事において、これらの保守点検工事に係る工事件名、作業件名を登録したデータベースであり、現在行われている又は計画中の保守点検工事だけでなく、過去に行われた保守点検工事のものまで含まれている。後記する要領書、報告書等の検索に利用される。この工事・作業件名ＤＢ３０１は、顧客保全管理部門が発作業管理サーバ計算機（管理側）２００を用いて、その発注情報管理部（管理側）２２１の機能により発行する電子ファイル形式の発注情報を、業者現場保守管理部門の現場保守支援サーバ計算機（実施側）３００の発注情報受信部３２１で受信して、受注管理担当者が現場保守端末装置９を操作して発注情報の中に記載されている工事・作業件名を格納したものである。これらの保守点検工事に係る工事件名、作業件名は、顧客側の発注情報と関係付けられており、各発注情報を識別する発注工事・作業件名からも発注情報受信部３２１において検索できるようになっている。
【００５２】
要領書ＤＢ３０２は、工事件名や作業件名毎に作成される保守点検工事の要領書を、これまでに行われた、又は実施中の保守点検工事において作成されたものを電子情報の形で格納したものである。要領書は工事件名、作業件名、工事の工程表、工事の作業内容、工事の作業手順、工事の体制、保守点検する対象機器、対象機器を保守点検するために行う系統や系統の設備、機器の隔離の範囲、隔離箇所（取り合い部）、隔離箇所毎の隔離処理の内容（隔離状態の設定内容）を含んでいる。
【００５３】
特に、隔離処理を行う機器や機器の接続端子、弁等を特定する前記設備、機器、部位等を特定する情報（系統番号、設備機器番号、盤内座標、端子番号等）、操作内容（弁ならば「開固定」、「閉固定」、電気関係ならば「スイッチオン」、「スイッチオフ」、「リフト切り離し」、「ジャンパ切り離し」等）等が記載される養生リスト８０（図７参照）を含んでいる。また、その隔離処理の開始時期、復旧時期の予定も工程表の中に記載される。
ちなみに、養生リスト８０は、「隔離リスト」又は「アイソレーションリスト」とも呼ばれる。
【００５４】
そのほかに、保守点検工事の中で行われる取替部品リスト、使用される計器、試験装置、工具・器材のリストも要領書の中に含まれている。
原子力発電プラントにおいては、保守点検工事において施設内で使用された工具、器材、計器、試験装置がそのまま設備の配管や容器の中に置き忘れられて、プラントを運転した後にトラブルの発生原因になった経験等から、工事において施設内へのこのような工具、計器等の持ち込み、持ち出しを厳重に管理して、置き忘れによるトラブルの発生を防止するようにしている。
【００５５】
また、放射線被曝をともなう作業もあるため、放射線被曝線量が法律や規則で定められた値を下回るように、作業者の被ばく線量管理のため作業管理も要領書に含まれている。
【００５６】
報告書ＤＢ３０３は、工事件名や作業件名毎に作成される保守点検工事の結果を管理側に報告した報告書を電子情報の形で格納したものである。報告書は要領書に記載された内容の結果を記録したものである。
【００５７】
作業者ＤＢ３０４は、実施側及び管理側の作業員１８（図１参照、この中には実施側の作業員の外に実施側の現場責任者、現場代理人等直接に作業は行わないが、現場の作業を指揮、監督する実施側の者や、管理側の工事立会者、管理側の作業者等を含む）の氏名、所属、資格、登録期間、個人ＩＤカード１９（図１参照）に添付又は内蔵されたＲＦＩＤタグ１６Ｂ（図１参照）のＩＤ情報、個人ＩＤカード番号、等が登録されたデータベースである。
これを利用することによって、現場作業記録の作成に当たって、作業者や立会者等の人名を携帯端末装置１３（図１参照）からキーボード入力等で手入力せずとも、それに設けられているＲＦＩＤリーダーで個人ＩＤカード１９のＲＦＩＤタグ１６Ｂを読み込むことにより、作業者ＤＢ３０４を参照して具体的な人名を特定できるようにしたものである。
【００５８】
図３に示すように発注情報受信部３２１は、前記したように発注情報ＤＢ２０１からの情報を、ネットワーク３を通じて管理側から受信し、工事件名、作業件名を発注情報と関係付けて工事・作業件名ＤＢ３０１に格納する機能を有する。
工事件名は発注情報に記載された工事件名がそのまま使用される。作業件名は、要領書に記載された個々の作業の単位毎に決められるが、過去の要領書を参考に名称が付けられ、保守点検工事の内容や保守点検対象の設備や機器が同じでも時期が異なれば、区別ができるように、例えば、「ＡＡＡ原子力発電所  ＢＢ号機、  第ＸＸ回定検工事」という頭書きが付く。
【００５９】
図面管理部（実施側）２２２Ｂは、図面ＤＢ２０３Ｂに前記した各種情報（２０３ａ〜２０３ｆ）を、現在の設備状態に合わせて常に最新のものに更新管理する機能を有する。これは、図面ＤＢ２０３Ｂの前記した各種情報（２０３ａ〜２０３ｆ）を、現在の設備状態に合わせて常に最新のものに更新管理する機能を有する。この各種情報２０３ａ〜２０３ｆは、メーカ技術設計部門と顧客保全管理部門との技術調査、承認手続きが終わって、設計データ管理サーバ計算機７００からネットワーク６を介して、現場保守支援サーバ計算機（実施側）３００に送られてき、確認をしてＣＡＤ図面の形で当該の旧情報と更新管理される。
【００６０】
同様に、プラント運用ルール管理部２２６Ｂは、前記したプラント運用ルール情報２０３ｇを作業管理サーバ計算機（管理側）２００のプラント運用ルール管理部２２６Ａの機能による通知により必要に応じて更新する機能と、プラント運用ルールリストの検索機能を有している。プラント運用ルールリストの検索機能用いて、プラント運転中又はプラントの定期検査工事（定検工事）中の保守点検工事に係るＰ＆ＩＤ、単線結線図、ＥＣＷＤの各隔離範囲や隔離処理が適切か否かをチェックすることができる。
【００６１】
Ｐ＆ＩＤ隔離作業要領作成支援部２２３は、Ｐ＆ＩＤ情報２０３ａを利用して配管系統から機器を隔離するために弁操作を計画する要領作成作業を支援する機能を有する。
単線結線図隔離作業要領作成支援部２２４は、単線結線図情報２０３ｂを利用して電気供給回路から機器を隔離する操作を計画する要領作成作業を支援する機能を有する。
ＥＣＷＤ隔離作業要領作成支援部２２５は、ＥＣＷＤ情報２０３ｃを利用して機器を隔離する隔離処理を計画する要領作成作業を支援する機能を有する。
ちなみに、Ｐ＆ＩＤ隔離作業要領作成支援部２２３、単線結線図隔離作業要領作成支援部２２４及びＥＣＷＤ隔離作業要領作成支援部２２５は、後記する図書・図面ＤＢ検索部２４４Ｂ、養生リスト編集部（隔離時操作状態設定手段）３４７Ａを含んでいる。また、養生リスト編集部３４７Ａは、後記する隔離−警報関係付けリスト編集部（隔離情報リスト作成手段）３４７Ｂを含んでいる。
【００６２】
次に、要領書管理部（実施側）３２２について説明する。図３に示すように要領書管理部（実施側）３２２は、実施側の担当者が要領書作成部３４２を用いて、電子情報の形の要領書を作成し、更に上司に提出して上司が調査、承認をして、コメントがあれば要領書作成部３４２を用いてコメントを記載し、承認であればそのままの内容で電子承認して起草した担当者に戻し、調査、承認、又はコメント付き返却等の形で返送する承認管理をする機能（承認管理部３４１）を有している。実施側担当者は上司に承認された要領書を、承認管理部３４１を用いて管理側に提出する。
【００６３】
そして、要領書作成部３４２は、要領書の作成、調査のための機能として、各種ＤＢ、例えば、過去の同種の工事作業時の要領書を要領書ＤＢ３０２から検索したり、図面ＤＢ２０３Ｂの各種情報２０３ａ〜２０３ｇを検索したりできる図書・図面ＤＢ検索部２４４Ｂ、設備、機器の隔離処理のための弁操作、設備や機器のスイッチ操作（スイッチのオン、オフ操作）や機器の盤内の接続端子の隔離処理（リフト切り離し、ジャンパ切り離し）を設備、機器毎に纏めて一覧表にする作業を支援する養生リスト編集部３４７Ａを有している。
【００６４】
そのほかに、要領書作成部３４２は、保守点検作業の中で取替え予定の取替部品リストを作成支援する取替部品リスト作成部３４８、使用される計器、試験装置のリストを作成支援する使用計器・試験装置リスト作成部３４９、使用される工具、器材のリストを作成支援する使用工具・器材リスト作成部３５１、プラント運用ルール管理部２２６Ａの機能を利用するプランと運用ルールインターフェース（図示せず）を含んでいる。
【００６５】
次に、報告書管理部（実施側）３２３について説明する。図３に示すように報告書管理部（実施側）３２３は、実施側が先に提出して管理側の承認を得た要領書に従って、保守点検作業を実施した作業結果の記録を、報告書作成部３６２を用いて電子情報の形の報告書として作成するものであり、作成後に上司の調査、承認手続を経て、上司が実施側担当者に、承認、又はコメント付き返却等の形で返送し、承認された場合は実施側担当者が管理側に送信する承認管理をしたりする機能（承認管理部３６１）を有している。
【００６６】
そして、報告書作成部３６２は、報告書の作成、調査のための機能として、各種ＤＢ、例えば、過去の同種の工事作業時の報告書を報告書ＤＢ３０３から検索したり、図面ＤＢ２０３Ｂ等を検索したりする図書・図面ＤＢ検索部２４４Ｂ、前記した要領書の中で作成した養生リスト８０に対する、個々の隔離処理、復旧処理の作業記録を編集する養生リスト編集部３６４、保守点検作業の中で取り替えた取替部品リストを作成支援する取替部品リスト編集部３６５、使用された計器、試験装置の持ち込み、持ち出し記録を編集する使用計器・試験装置リスト編集部３６６、使用された工具、器材の持ち込み、持ち出し記録を編集する使用工具・器材リスト編集部３６７、隔離−警報関係付けリスト編集部３６８を含んでいる。
【００６７】
取替部品登録管理インターフェース３２４は、発注情報に記載の部品取替指示に基づいて、実施側が設備管理サーバ計算機１００（図１参照）の設備管理部１００ａの機能を利用するものであり、設備情報ＤＢ１０１の当該機器を検索して、部品番号、仕様等を受信し、交換部品との仕様の確認、交換部品の部品番号の登録をするものである。
取替部品登録管理インターフェース３２４において、取替部品管理を行う際の取替部品管理表登録画面は、例えば、特許文献３の図７に示すようなものである。その詳細は、特許文献３の段落［００４７］〜［００５０］に記載されている。
【００６８】
使用計器・試験装置管理インターフェース３２５は、計器・試験装置管理サーバ計算機５００（図１参照）の計器管理部５２１、試験装置管理部５２２の機能を用いて計器及び試験装置の管理を行うものである。使用計器・試験装置管理インターフェース３２５において、使用計器お及び試験装置の管理を行う際の使用計器・試験装置管理表登録画面は、例えば、特許文献３の図９に示すようなものである。その詳細は、特許文献３の段落［００５４］〜［００５６］に記載されている。
【００６９】
使用工具・器材管理インターフェース３２６は、工具・器材管理サーバ計算機４００（図１参照）の工具管理部４２１、器材管理部４２２の機能を用いて使用工具及び使用器材の管理を行うものである。使用工具・器材管理インターフェース３２６において、使用工具及び使用器材の管理を行う際の使用工具・器材管理表登録画面は、例えば、特許文献３の図８に示すようなものである。その詳細は、特許文献３の段落［００５１］〜［００５３］に記載されている。
【００７０】
点検・隔離管理インターフェース（実施側）３２７は、点検・隔離部（管理側）２２７の一部機能のみが許可され、点検・隔離ＤＢ２０７及び工程ＤＢ２０８のデータの更新機能は許されていない、つまり、点検・隔離ＤＢ２０７の情報を検索して閲覧できる点検・隔離情報閲覧部３７１、工程ＤＢ２０８の情報を閲覧できる工程情報閲覧部３７２、点検・隔離管理部（管理側）２２７から通知された点検・隔離情報の収集をする点検・隔離情報収集部３７３、作業票ＤＢ２０６の作業タグ情報２０６ｂを検索して閲覧できる作業票閲覧部３７４を有している。
【００７１】
工程管理インターフェース（実施側）３２８は、工程管理部（管理側）２２８（図２参照）の一部機能のみ許可され、工程ＤＢ２０８の情報の閲覧、既に提出した要領書に添付した工程表の変更を申請して工程表の変更許可を受ける機能を有している。そして、管理側にて工程管理部（管理側）２２８を用いて変更が決定された工程表を工程ＤＢ２０８に反映する。
【００７２】
作業者登録部３２９は、前記した実施側及び管理側の作業員（この中には実施側の作業員の外に実施側の現場責任者、現場代理人等直接に作業は行わないが、現場の作業を指揮、監督する実施側の者や、管理側の工事立会者、管理側の作業者等を含む）の氏名、所属、資格、登録期間、個人ＩＤカード番号、個人ＩＤカード１９に添付されたＲＦＩＤタグのＩＤ情報等を作業者ＤＢ３０４に登録管理する機能である。この機能は、原則的に管理側で行われ、この作業者登録部３２９の機能の一部である申請、承認手続き機能を使って、実施側からの作業員の変更、新規追加の申請を受けて、管理側で承認してデータ登録する。
【００７３】
次に図４を参照しながら本実施形態における前記した図面ＤＢ２０３Ａ，２０３Ｂ，２０３Ｃにおける各種情報、Ｐ＆ＩＤ情報２０３ａ、単線結線図情報２０３ｂ、ＥＣＷＤ情報２０３ｃ、ソフトロジック図情報２０３ｄ、ＰＩ／Ｏテーブル図情報２０３ｅ、ＩＢＤ情報２０３ｆの間の属性情報による検索可能なリンクの張り方と、本実施形態の特徴である隔離−警報関係ＤＢ３０５に含まれる隔離−警報関係付けリスト１４０の位置づけを説明する。
【００７４】
図４は、ＣＡＤ図面である系統図（Ｐ＆ＩＤ）、単線結線図、ＥＣＷＤ、ロジック図及びＰＩ／Ｏテーブル図それぞれの間の属性情報による相互関係付けと、ＩＢＤを隔離−警報関係ＤＢを介して系統図（Ｐ＆ＩＤ）、単線結線図、ＥＣＷＤ、ロジック図及びＰＩ／Ｏテーブル図それぞれに関係付ける模式説明図である。
【００７５】
Ｐ＆ＩＤ情報２０３ａの各図面に表示された機器番号には、属性情報Ａとして次の情報が関連付けられており、機器番号を指定してその属性情報Ａを表示させて、単線結線図情報２０３ｂ又はＥＣＷＤ情報２０３ｃの関係する図面を図書・図面ＤＢ検索部２４４Ａ（図２参照），２４４Ｂ（図３参照）で検索可能になっている。
図書・図面ＤＢ検索部２４４Ａは、特許請求の範囲に記載の「図面検索手段」に対応する。
【００７６】
〈属性情報Ａ〉
・Ｐ＆ＩＤシート番号（Ｐ＆ＩＤシートＮｏ）（図４、図５のシートＮｏ欄６１参照）
・系統名（図４、図５の系統名欄６０参照）
・機器番号（機器Ｎｏ）（図５参照）
・その他
【００７７】
単線結線図情報２０３ｂの各図面に表示された機器番号には、属性情報Ｂとして次の情報が関連付けられており、機器番号を指定してその属性情報Ｂを表示させて、Ｐ＆ＩＤ情報２０３ａ又はＥＣＷＤ情報２０３ｃの関係する図面を図書・図面ＤＢ検索部２４４Ａ（図２参照），２４４Ｂ（図３参照）で検索可能になっている。
図書・図面ＤＢ検索部２４４Ｂは、特許請求の範囲に記載の「図面検索手段」に対応する。
【００７８】
〈属性情報Ｂ〉
・単線結線図シート番号（単線結線図シートＮｏ）（図４、図６のシートＮｏ欄７１参照）
・系統名（図４、図６の系統名欄７０参照）
・機器番号（機器Ｎｏ）（図６参照）
・その他
【００７９】
ＥＣＷＤ情報２０３ｃの各図面に表示された計器／機器番号（計器／機器Ｎｏ）、コントローラ番号（コントローラＮｏ）、盤番号（盤Ｎｏ）、ユニット番号（ユニットＮｏ）、端子番号（端子Ｎｏ）、信号名称等には、その番号情報、信号名称を含めた属性情報Ｃとして次の情報が関連付けられており、前記した計器／機器番号、コントローラ番号、盤番号、ユニット番号、端子番号、信号名称を指定してその属性情報Ｃを表示させて、Ｐ＆ＩＤ情報２０３ａ、単線結線図情報２０３ｂ、ソフトロジック図２１３ｄ、又はＰＩ／Ｏテーブル図情報２０３ｅの関係する図面を図書・図面ＤＢ検索部２４４Ａ（図２参照），２４４Ｂ（図３参照）で検索可能になっている。
【００８０】
〈属性情報Ｃ〉
・ＥＣＷＤシート番号（ＥＣＷＤシートＮｏ）（図４、図１０のシートＮｏ欄９５参照）
・系統名（図１０で図示せず）
・計器／機器番号（計器／機器Ｎｏ）（図１０の計器／機器Ｎｏ欄９８ａ参照）
・コントローラＮｏ（図１０のコントローラＮｏ欄９６ａ参照）
・盤番号（盤Ｎｏ）（図１０の盤Ｎｏ欄９６ｂ参照）
・ユニット番号（ユニットＮｏ）（図１０のユニットＮｏ欄９６ｃ参照）
・端子番号（端子Ｎｏ）（図１０の端子Ｎｏ欄９７ｃ，９８ｂ参照）
・信号名称（符号表示）（図１０の信号名称欄９７ａ参照）
・関係するＰＩ／Ｏテーブル図シート番号（ＰＩ／Ｏテーブル図シートＮｏ）（図４、図１０で図示せず）
・その他
ちなみに、ＥＣＷＤ情報２０３ｃの図面には、制御盤の電力線、信号線等の配線を示したＥＣＷＤ（制御盤配線）２０３ｃ１の他に、警報出力を出す配線を分かり易く、ＥＣＷＤ情報２０３ｃの中の１つのセクションにまとめて一連のＥＣＷＤシートＮｏを付したＥＣＷＤ（警報出力）２０３ｃ２もある。
【００８１】
ソフトロジック図情報２０３ｄの各図面に表示された信号名称等には、その信号情報を含めた属性情報Ｄとして次の情報が関連付けられており、前記した信号名称を指定してその属性情報Ｄを表示させて、ＥＣＷＤ情報２０３ｃ、ＰＩ／Ｏテーブル図情報２０３ｅの関係する図面を図書・図面ＤＢ検索部２４４Ａ（図２参照），２４４Ｂ（図３参照）で検索可能になっている。
【００８２】
〈属性情報Ｄ〉
・ソフトロジック図シート番号（ソフトロジック図シートＮｏ）（図４、図１１のシートＮｏ欄１１２参照）
・関係するＥＣＷＤシート番号（ＥＣＷＤシートＮｏ）（図１１のシートＮｏ欄１１８参照）
・信号名称（符号表示）（例えば、図１１の出力信号名称欄１１６欄参照）
・その他
【００８３】
ＰＩ／Ｏテーブル図情報２０３ｅの各図面に表示された信号名称には、その信号情報を含めた属性情報Ｅとして次の情報が関連付けられており、前記した信号名称を指定してその属性情報Ｅを表示させて、ＥＣＷＤ情報２０３ｃ、ソフトロジック図情報２０３ｄ又はＩＢＤ情報２０３ｆの関係する図面を図書・図面ＤＢ検索部２４４Ａ（図２参照），２４４Ｂ（図３参照）で検索可能になっている。
【００８４】
〈属性情報Ｅ〉
・ＰＩ／Ｏテーブル図シート番号（ＰＩ／Ｏテーブル図シートＮｏ）（図４、図１２のシートＮｏ欄１２１参照）
・信号名称（符号表示）（図１２の信号名称（符号表示）欄１２３ｄ参照）
・関係するＥＣＷＤシート番号（ＥＣＷＤシートＮｏ）（図１２のシートＮｏ欄１２３ｆ参照）
・関係するソフトロジック図シート番号（ソフトロジック図シートＮｏ）（図１２のシートＮｏ欄１２３ｅ参照）
・その他
【００８５】
ＩＢＤ情報２０３ｆの各図面に表示された信号名称には、その信号情報を含めた属性情報Ｆとして次の情報が関連付けられており、前記した信号名称を指定してその属性情報Ｆを表示させて、例えば、ＰＩ／Ｏテーブル図情報２０３ｅの関係する図面、又は隔離−警報関係ＤＢ３０５の隔離−警報関係付けリスト１４０の関係する欄を検索可能になっている。
【００８６】
〈属性情報Ｆ〉
・ＩＢＤシート番号（ＩＢＤシートＮｏ）（図４、図１３のシートＮｏ欄１３２参照）
・信号名称（図１３の入力信号名称欄１３３参照）
・関係するソフトロジック図シート番号（ソフトロジック図図シートＮｏ）（図１３の状態表示凡例欄１３７参照）
・関係するＰＩ／Ｏテーブル図シート番号（ＰＩ／Ｏテーブル図シートＮｏ）（図１３に表示せず）
・その他
【００８７】
従来の顧客側においては図面ＤＢ２０３に含まれる図面情報は、全て紙ベースであり、ＩＢＤ情報２０３ｆからは、図４に太破線矢印で示したように手作業でソフトロジック図シートＮｏから関係するソフトロジック図の図面を検索することのみが可能であり、ＩＢＤ情報２０３ｆから紙ベースで、細破線矢印で示すように直接Ｐ＆ＩＤ情報２０３ａ、単線結線図情報２０３ｂ、ＥＣＷＤ情報２０３ｃ、ＰＩ／Ｏテーブル図情報２０３ｅの関係する図面シートＮｏを検索することは不可能であった。
【００８８】
また、プラント側が既にＣＡＤ情報化しているＰ＆ＩＤ情報２０３ａ、単線結線図情報２０３ｂ、ＥＣＷＤ情報２０３ｃ、ソフトロジック図情報２０３ｄ及びＰＩ／Ｏテーブル図情報２０３ｅをそのままＣＡＤ情報で提供を受けてＣＡＤ機能を有する端末から検索することができても、メーカにおいてもＩＢＤ情報２０３ｆがＣＡＤ情報化されていなかったので、顧客は端末からＩＢＤ情報の図面に記載されたソフトロジック図情報のシートＮｏを手入力で検索することしかできなかった。
【００８９】
本実施形態では、ＩＢＤ情報２０３ｆをＣＡＤ化して、前記した属性情報Ｆに基づきソフトロジック図情報２０３ｄ及びＰＩ／Ｏテーブル図情報２０３ｅの直接関係する図面と太実線矢印で示すように相互に図書・図面ＤＢ検索部２４４Ａ（図２参照），２４４Ｂ（図３参照）で検索可能としている。更に、一点鎖線矢印で示すようにＩＢＤ情報２０３ｆから隔離−警報関係付けリスト１４０を介して、Ｐ＆ＩＤ情報２０３ａ、単線結線図情報２０３ｂ、ＥＣＷＤ情報２０３ｃ、ソフトロジック図情報２０３ｄ、ＰＩ／Ｏテーブル図情報２０３ｅをも間接的に検索可能にしている。
【００９０】
《隔離作業要領の作成》
次に、図５、図６を参照しながらＰ＆ＩＤ隔離作業要領作成支援部２２３（図３参照）、単線結線図隔離作業要領作成支援部２２４（図３参照）、特にその養生リスト編集部３４７Ａの機能を用いてＰ＆ＩＤ情報２０３ａ及び単線結線図情報２０３ｂの図面を用いた隔離対象機器と隔離範囲の作業画面について説明する。
図５は、系統図（Ｐ＆ＩＤ）の一部を示し、隔離対象の機器と隔離範囲を説明する図である。
【００９１】
（Ｐ＆ＩＤ隔離作業要領）
図５では、系統名「ＸＸＸＡ」のＰ＆ＩＤの一部を示し、その系統名は系統名欄６０に表示され、シートＮｏ欄６１にシートＮｏが、例えば、「ＫＫＡ−１」と表示されている。図面シートＮｏとして具体的に表示する場合は、系統名欄６０の系統名とシートＮｏ欄６１を組み合わせてシートＮｏ「ＸＸＸＡ―ＫＫＡ−１」と表示する。
図５において、分解点検する回転速度制御が可能なポンプ６３（機器Ｎｏ「ＸＸＸＡ−ＰＵＭＰ−０２０−１」）に対する周囲の配管には、電動弁６２（機器Ｎｏ「ＸＸＸＡ−ＭＶ−０２０−１０」）、流量調整弁である電動弁６４（機器Ｎｏ「ＸＸＸＡ−ＭＶ−０２０−１００」）、手動弁６６，６７（機器Ｎｏ「ＸＸＸＡ−Ｖ−０２０−２」，「ＸＸＸＡ−Ｖ−０２０−３」）、ポンプドレイン弁６５（機器Ｎｏ「ＸＸＸＡ−Ｖ−０２０−１」）が配置されている。ポンプ６３の運転を停止して分解点検のための隔離操作を行うためには、これらの弁を操作する必要がある。
【００９２】
ポンプ６３に対しては、制御盤コントローラ６３−１（機器Ｎｏ「ＸＸＸＡ−ＲＭＭＣ−０２０−２」）と温度トリップ機能付きの現場温度計６３−２（機器Ｎｏ「ＸＸＸＡ−ＴＳ−０２０−１」）とが、ポンプ６３に関係する保守対象機器として設けられている。また、電動弁６２には、関係する保守対象機器として、制御盤コントローラ６２−１（機器Ｎｏ「ＸＸＸＡ−ＲＭＭＣ−０２０−１」）、現場スイッチ６２−２（「現場ＳＷ６２−１」と表示し、機器Ｎｏ「ＸＸＸＡ−ＲＭＳ−０２０−１」）、全開、全閉状態を検出するリミットスイッチセンサ６２−３、制御盤弁開閉表示６２−４（機器Ｎｏ「ＸＸＸＡ−ＶＩ−０２０−１」）が保守対象機器として設けられている。
【００９３】
流量調整弁である電動弁６４には、関係する保守対象機器として制御盤コントローラ６４−１（機器Ｎｏ「ＸＸＸＡ−ＲＭＭＣ−０２０−３」）、その内部の切替スイッチ６４−１ａ（「切替ＳＷ６４−１ａ」と表示し、機器Ｎｏ「ＸＸＸＡ−ＳＷ−０２０−４」）、現場ＳＷ６４−３（機器Ｎｏ「ＸＸＡ−ＲＭＳ−０２０−３」）、弁開度センサ６４−４、制御盤弁開度表示６４−５（機器Ｎｏ「ＸＸＸＡ−ＶＩ−０２０−２」）が設けられている。
【００９４】
ちなみに、手動弁６７の下流には現場圧力計６７−１（機器Ｎｏ「ＸＸＸＡ−ＰＩ−０２０−１」）、圧力計トランスミッタ６７−２（機器Ｎｏ「ＸＸＸＡ−ＰＴ−０２０−１」）が配管で接続され、圧力計トランスミッタ６７−２からの信号は制御盤圧力計６７−３（機器Ｎｏ「ＸＸＸＡ−ＰＩ−０２０−２」）に出力されている。
そして、図５において現場保守端末装置９により隔離範囲６９を設定した範囲を一点鎖線で囲って示してある。
【００９５】
なお、図５において実線は配管を示し、破線は計装線を示している。図５に示すように各機器には系統名と機器個番号を組み合わせて、機器Ｎｏとして示してある。例えば、ポンプ６３において、機器Ｎｏ「ＸＸＸＡ−ＰＵＭＰ−０２０−１」のうち、「ＸＸＸＡ」が系統名であり、「ＰＵＭＰ−０２０−１」が機器個番号である。同様に電動弁６２本体の場合の機器Ｎｏ「ＸＸＸＡ−ＭＶ−０２０−１０」のうち、「ＸＸＸＡ」が系統名であり、「ＭＶ−０２０−１０」が機器個番号である。このように機器Ｎｏは、系統名と機器個番号の組み合わせで示してある。
【００９６】
図５に示すようにポンプ６３の分解点検のための隔離範囲６９としては、Ｐ＆ＩＤ隔離作業要領作成支援部２２３（図３参照）を用いて図７の養生リスト８０を作成するには、ポンプ６３を指定した際に、隔離操作する機器の範囲として、電動弁６２，６４、手動弁６６，６７、ポンプドレイン弁６５を含む範囲を設定している。
ここで、電動弁６２，６４、手動弁６６，６７、ポンプドレイン弁６５が、特許請求の範囲に記載の「操作機器」に該当し、「隔離境界」となる。
【００９７】
（単線結線図隔離作業要領の作成）
図６は、図５に示されたＰ＆ＩＤに関係する部分を示す単線結線図を示し、隔離対象の機器と隔離範囲を説明する図である。
図６では、系統名「ＸＸＸＡ」の単線結線図の一部を示し、その系統名は系統名欄７０に表示され、シートＮｏ欄７１にシートＮｏが、例えば、「ＫＫＣ−１」と表示されている。図面シートＮｏとして具体的に表示する場合は、系統名欄７０の系統名とシートＮｏ欄７１を組み合わせてシートＮｏ「ＸＸＸＡ―ＫＫＣ−１」と表示する。
図６に示すように単線結線図情報２０３ｂの図面（シートＮｏ「ＸＸＸＡ−ＫＫＣ−１」）には、母線７３からスイッチ７４（機器Ｎｏ「ＸＸＸＡ−ＳＷ−ＰＭ−００７」）を有する分岐線７５を介して盤７２（盤番号（盤Ｎｏ）「ＸＸＸＡ−ＰＭ−００７」）に電源が供給されている。盤７２内には、制御盤コントローラ６２−１（機器Ｎｏ「ＸＸＡ−ＲＭＭＣ−０２０−１」）、制御盤コントローラ６３−１（機器Ｎｏ「ＸＸＸＡ−ＲＭＭＣ−０２０−２」）、制御盤コントローラ６４−１（機器Ｎｏ「ＸＸＡ−ＲＭＭＣ−０２０−３」）が含まれており、それらは給電線７７Ａで電動弁６２のモータ（図示せず）を駆動し、給電線７７Ｂでポンプ６３のモータ（図示せず）を駆動し、給電線７７Ｃで電動弁６４のモータ（図示せず）を駆動する構成となっている。
【００９８】
ちなみに、スイッチ７４の機器Ｎｏ「ＸＸＸＡ−ＳＷ−ＰＭ−００７」の「ＸＸＸＡ」は、系統名を示し、「ＳＷ−ＰＭ−００７」は、機器個番号を示す。同様に盤７２の盤Ｎｏ「ＸＸＸＡ−ＰＭ−００７」の「ＸＸＸＡ」は、系統名を示し、「ＰＭ−００７」が機器個番号を示す。このように機器Ｎｏは、系統名と機器個番号の組み合わせで示してある。
【００９９】
図６に示すようにポンプ６３の分解点検のための単線結線図上での隔離範囲７９としては、単線結線図隔離作業要領作成支援部２２４（図３参照）を用いて図７の養生リスト８０を作成するには、ポンプ６３を指定した際に、隔離操作する機器の範囲として、電動弁６２，６４、制御盤コントローラ６２−１，６３−１，６４−１、現場ＳＷ６２−２、現場ＳＷ６４−３を含む範囲を設定している。
ここで、制御盤コントローラ６２−１，６３−１，６４−１、現場ＳＷ６２−２、現場ＳＷ６４−３が、特許請求の範囲に記載の「操作機器」に該当し、「隔離境界」となる。
【０１００】
図７は、Ｐ＆ＩＤ隔離作業要領作成支援部２２３、単線結線図隔離作業要領作成支援部２２４の養生リスト編集部３４７Ａを用いて、隔離範囲６９，７９について作成された養生リスト８０の説明図である。ここでは、図７から図９は、隔離警報欄、参考非隔離警報欄を含む養生リスト（隔離リスト）の作成途中の書式の説明図である。
【０１０１】
図７において、作成途中の養生リスト８０は、欄８１に作業項目８１ａとして「ポンプ分解点検作業」の名称と、系統名８１ｂとして「ＸＸＸＡ」、作業期間８１ｃとして「平成ｎｎ年ｍ１月ｄ１日〜平成ｎｎ年ｍｘ月ｄｘ日」を表示しており、その欄８１の下の行の欄に、隔離機器につきＮｏ．１〜Ｎｏ．１１となる一覧表を示している。
【０１０２】
この隔離機器の一覧表における表示項目としては、通番欄８２、「機器Ｎｏ／端子Ｎｏ」と表示の隔離機器等（機器、端子、スイッチ等を含む）の対象を示す機器Ｎｏ欄８３、現場、制御室、制御盤等のその当該機器等の所在の場所欄８４、機器等の隔離状態の操作内容を示す隔離状態欄８５、機器等の復旧時の操作内容を示す復旧欄８６、主機器等か従機器等化を示す主／従欄８７、機器等の隔離状態時に付加する作業、目的等の注意事項を記載する備考欄８８、機器等の主従関係を示す関連機器Ｎｏ欄８９を設けてある。
【０１０３】
ここで、隔離要領書を作成する作業者は、通番欄８２のＮｏ．２の制御盤コントローラ６３−１（機器Ｎｏ「ＸＸＸＡ−ＲＭＭＣ−０２０−２」）に対しては、隔離状態欄８５に「ＯＦＦ」、復旧欄８６に「ＯＮ」、備考欄８８に「給電停止、作業タグ盤表示」を記載入力する。通番欄８２のＮｏ．３の現場温度計６３−２（機器Ｎｏ「ＸＸＸＡ−ＴＳ−０２０−１」）に対しては、隔離状態欄８５に「引抜」、復旧欄８６に「挿入」、備考欄８８に「温度トリップ信号除外、作業タグ現場表示」を記載入力する。
【０１０４】
通番欄８２のＮｏ．４の電動弁６２（機器Ｎｏ「ＸＸＸＡ−ＭＶ−０２０−１０」）、通番欄８２のＮｏ．６の電動弁６４（機器Ｎｏ「ＸＸＸＡ−ＭＶ−０２０−１００」）に対しては、備考欄８８に「作業タグ現場表示」を記載入力する。通番欄８２のＮｏ．７の制御盤コントローラ６４−１（機器Ｎｏ「ＸＸＸＡ−ＲＭＭＣ−０２０−３」）に対しては、隔離状態欄８５に「閉、ＯＦＦ」、復旧欄８６に「ＯＮ、閉」、備考欄８８に「給電停止、作業タグ盤表示」を記載入力する。
【０１０５】
電動弁６４は流量調整弁であるので、復旧時に「ＯＮ、開」とするとポンプ６３を起動させると系統に外乱を与えることになるので、それを防止して自動制御等により低流量から徐々に流量を増加させる制御をするためである。
【０１０６】
通番欄８２に対応させて、図８には隔離警報欄９１、図９には参考非隔離警報欄９２が設けてある。隔離警報欄９１は、隔離警報信号名称欄９１ａ、ソフトロジック図シートＮｏ欄９１ｂ、ＰＩ／Ｏテーブル図シートＮｏ欄９１ｃ、ＩＢＤシートＮｏ欄９１ｄを含んでおり、図９には参考非隔離警報欄９２は、警報信号名称欄９２ａ、ソフトロジック図シートＮｏ欄９２ｂ、ＰＩ／Ｏテーブル図シートＮｏ欄９２ｃ、ＩＢＤシートＮｏ欄９２ｄを含んでいる。図８、図９についての詳細な説明は、後記する。
【０１０７】
このような本実施形態における養生リスト８０における特徴は、機器Ｎｏ欄８３で指定される隔離機器等について、主／従欄８７によって設定された従機器等について、関連機器Ｎｏ欄８９によって主機器等との関係を設定している点である。
【０１０８】
更に、欄８１の右側には機器図面欄９０が設けられ、図面の種類欄９０ａ、図面シートＮｏ欄９０ｂが、通番欄８２の１つの通番に対しても設けられている。
図７の例では、通番欄８２のＮｏ．２，５，７，８においては、Ｐ＆ＩＤ情報２０３ａ、単線結線図情報２０３ｂの図面シートＮｏがそれぞれ記載されている。
【０１０９】
（ＥＣＷＤ隔離作業要領の作成）
ＥＣＷＤ隔離作業要領作成支援部２２５を用いてＥＣＷＤ情報２０３ｃのＥＣＷＤ（制御盤配線）２０３ｃ１に基づく制御盤内のスイッチの隔離処理、端子を外す処理、ジャンパ処理等の方法については、特許文献３の段落［００６０］〜［００８３］及び図１０〜図１８に記載されており公知の技術なので詳細な説明は省略する。
なお、ＥＣＷＤ情報２０３ｃに基づく制御盤内の隔離の設定の場合には、本実施形態における図７に示した欄８３〜８５，９０は、特許文献３の図１８の３５ａ〜３５ｈの欄の内容に置き換えると都合が良い。
【０１１０】
ＥＣＷＤ隔離作業要領作成支援部２２５を用いてＥＣＷＤ情報２０３ｃのＥＣＷＤ（制御盤配線）２０３ｃ１に基づく制御盤内のスイッチの隔離処理、端子を外す処理、ジャンパ処理等を行うと、その上流側や下流側には異常や故障を示す警報信号を出力する計器、機器が盤内、又は関係する盤内に含むものがある。本実施形態のＥＣＷＤ隔離作業要領作成支援部２２５は、隔離処理した箇所の下流側に対して電流供給線を辿るとともに、隔離処理した箇所の上下流側に信号線を辿って警報信号に到るものを自動検索する機能を有しているところに特徴がある。
【０１１１】
そして図５に示すような、例えば、ポンプ６３を回転速度制御する制御盤コントローラ６３−１に対して、出力電流を切断するように盤内スイッチをＯＦＦ状態にすると、上流からその制御盤コントローラ６３−１に対して回転速度信号の目標値信号を出力している制御機器は、制御盤コントローラ６３−１からポンプ６３の制御信号が出力されてないので、制御盤コントローラ６３−１の異常を検知して警報出力を出してしまう。
【０１１２】
そこで、現場保守端末装置９の操作者は、ＥＣＷＤ隔離作業要領作成支援部２２５を用いて隔離作業要領を作成するに当たり、関係するＥＣＷＤ情報２０３ｃを自動検索して警報信号に到るものが検出されたときは、図書・図面ＤＢ検索部２４４Ｂを用いて図面ＤＢ２０３Ｂのプラント運用ルール情報２０３ｇを参照して、その警報信号が出ないように隔離すべきものか、そのまま警報信号を出たままにして、冗長性の安全性が低下しないように非隔離とするかを確かめる。
【０１１３】
ここでは、図９に示すように制御盤コントローラ６３−１（図５参照）に制御信号を入力しているコントローラが、制御盤コントローラ６３−１からのフィードバック信号を受信できないことから、制御盤コントローラ６３−１の重故障と判定して警報制御のコントローラＡＵＸＣ００１（図１０参照）に対して信号「制御装置重故障（ＲＡＬ０２９５−２３）」を出力させるようになるが、プラント運用ルール情報２０３ｇに基づき冗長性の安全性が低下しないように非隔離とし、参考非隔離警報欄９２の通番欄８２のＮｏ．２の行に対応させて、各欄９２ａ，９２ｂ，９２ｃ，９２ｄにそれぞれ「制御装置重故障（ＲＡＬ０２９５−２３）」，「ＲＡＬ４０７７」，「ＲＡＬ０２９５」，「ＸＸＸＡ−△△△△△」を入力する。
【０１１４】
また、流量調整弁である電動弁６４（図５参照）に制御信号を入力しているコントローラが、制御盤コントローラ６４−１からのフィードバック信号を受信できないことから、制御盤コントローラ６４−１の重故障と判定して警報制御のコントローラ（図示せず）に対して信号「制御装置重故障（ＲＡＬ１３３３−２４）」を出力させるようになるが、プラント運用ルール情報２０３ｇに基づき冗長性の安全性が低下しないように非隔離とし、参考非隔離警報欄９２の通番欄８２のＮｏ．７の行に対応させて、各欄９２ａ，９２ｂ，９２ｃ，９２ｄにそれぞれ「制御装置重故障（ＲＡＬ１３３３−２４）」，「ＲＡＬ５０４４」，「ＲＡＬ０３０１」，「ＸＸＸＡ−□□□□」を入力する。
【０１１５】
（ＥＣＷＤ（警報関係））
次に、図１０を参照しながらＥＣＷＤ情報２０３ｃの内のＥＣＷＤ（警報出力）の図面２０３ｃ２を例に説明する。図１０は、ＥＣＷＤの図面例として警報出力関係のＥＣＷＤの図面の１シートを説明する図である。
図１０に示すようにシートＮｏ欄９５、警報信号出力機器詳細仕様データ欄９６、警報信号名称関係欄９７、接続先データ欄９８を含んでいる。図１０の例ではＥＣＷＤシートＮｏは「ＲＡ１０２」であり、制御盤コントローラ６３−１の状態に関する警報信号、状態信号を出力する例である。
【０１１６】
警報信号出力機器詳細仕様データ欄９６には、制御盤コントローラ６３−１の状態に関する警報信号、状態信号を出力するコントローラ、例えば、「ＡＵＸＣ００１」を示すコントローラＮｏ欄９６ａ、その「ＡＵＸＣ００１」というコントローラが格納されている盤を示す盤Ｎｏ欄９６ｂ、その盤内のどのユニットにその「ＡＵＸＣ００１」が含まれているかを示すユニットＮｏ欄９６ｃ、ユニット内のどのスロットＮｏのボードにその「ＡＵＸＣ００１」が含まれているかを示すスロットＮｏ欄９６ｄ、そのボードの型式を示す、例えば、図１０においては、「ＲＴＢ型式」と表示のボード型式欄９６ｅ、その「ＡＵＸＣ００１」というコントローラＮｏが記載されているＰＩ／Ｏテーブル図面を示すＰＩ／Ｏテーブル図シートＮｏ欄９６ｆ（図中、「ＰＩ／ＯテーブルＳＨ．Ｎｏ」と表示）が用意されている。
【０１１７】
警報信号名称関係欄９７には、信号名称欄９７ａ、チャンネルＮｏ欄９７ｂ、端子Ｎｏ欄９７ｃが含まれる。信号名称欄９７ａには、例えば、「制御装置重故障」の表示の他に、その信号名称を意味する符号表示「ＲＡＬ０２９５−２３」も記載されている。チャンネルＮｏ欄９７ｂ（図中、「ＣＨ．Ｎｏ」表示）は、「制御装置重故障」信号を出力するチャンネルＮｏを意味し、端子Ｎｏは、そのボードの「制御装置重故障」信号を出力する端子Ｎｏを意味する。
【０１１８】
接続先データ欄９８には、この信号出力の受け側（接続先）の計器／機器を示す計器／機器Ｎｏ欄９８ａ、その計器／機器の端子Ｎｏを示す端子Ｎｏ欄９８ｂ、接続先の計器／機器が記載されているＥＣＷＤシートＮｏを示す「取合いＳＨ．Ｎｏ」と表示の取合いシートＮｏ欄９８ｃが含まれている。
ここでは、接続先の機器は、「Ｌ−ＡＮ５２−Ｂ４」というアナウンシエータであり、その機器はＥＣＷＤシートＮｏが「ＲＡ１０５」の図面に記載されている。
なお、このＥＣＷＤ図面では、例えば、コントローラＮｏ欄９６ａ、信号名称欄９７ａ、計器／機器Ｎｏ欄９８ａ等いずれかを指定することによって、図書・図面ＤＢ検索部２４４Ｂ（図３参照）の機能により、その記載がある希望する別のＥＣＷＤ情報２０３ｃの図面、ソフトロジック図情報２０３ｄの図面、ＰＩ／Ｏテーブル図情報２０３ｅの図面を検索することができる。
【０１１９】
従って、「ＡＵＸＣ００１」というコントローラを指定して、対応するソフトロジック図面を表示させると、入出力信号名称と、そのコントローラでの入力を組み合わせてどのような論理パターン（ＡＮＤ論理、ＯＲ論理、その他の論理）でその警報、状態表示の信号を出力しているのかが表示される。
また、「ＡＵＸＣ００１」というコントローラを指定して、対応するＥＣＷＤ図面を表示させると「ＡＵＸＣ００１」というコントローラに入力する計器／機器Ｎｏが記載されたＥＣＷＤ図面を検索することができる。
【０１２０】
（ソフトロジック図（警報関係））
次に、図１１を参照しながらソフトロジック図情報２０３ｄの内のソフトロジック図（警報出力）の図面２０３ｄ１を例に説明する。
ソフトロジック図情報２０３ｄには、他に制御対象の機器、例えば、ポンプを通常運転中にプラント保護の観点から急停止させるトリップロジック、ポンプを通常運転中にプラント保護の観点から所定回転速度まで急減するランバックロジック、流量調節弁をプラント保護の観点から全閉するトリップロジック等各種のソフトロジック図面を含んでいる。
【０１２１】
図１１は、ソフトロジック図の図面例として警報出力関係のソフトロジック図の図面の１シートを説明する図である。図１１に示すようにシートタイトル欄１１１、シートＮｏ欄１１２、入力信号欄１１３、入力信号を出力しているソフトロジック図のシートＮｏ欄１１４、信号処理ロジック欄１１５、符号表示の出力信号名称欄１１６、出力信号名称関係欄１１７、出力信号名称の記載されている警報出力のＥＣＷＤ図面のシートＮｏ欄１１８、アナウンシエータ欄１１９を含んでいる。
図１１の例ではソフトロジック図のシートＮｏは「ＲＡＬ４０７７」である。
【０１２２】
信号処理ロジック欄１１５は、本例では欄１１５に記載されているように系統一括警報回路であり、そのコントローラＮｏは欄１１５ｂに記載の「ＡＵＸＣ００１」である。そして、「重Ｈ」、「重Ｌ」、「軽Ｈ」、「軽Ｌ」、「状態Ｈ」、「状態Ｌ」と表示の入力信号欄１１５ｃ、「重故障」、「軽故障」、「状態」と表示の出力信号欄１１５ｄ、コントローラ「ＡＵＸＣ００１」内で処理する入力信号に対してどのような論理パターンで出力信号を出すかを示す詳細なソフトロジック図面のシートＮｏ欄１１５ｅを含んでいる。
【０１２３】
図１１における系統一括警報回路の処理は、簡単に説明すると、例えば、「制御装置重故障（ＲＡＬ０２９５−２３）」という警報信号は、ソフトロジック図シートＮｏが「ＲＡＬ４０７４」から出力される「重故障Ｈ」又はソフトロジック図シートＮｏが「ＲＡＬ４０７５」から出力される「重故障Ｌ」のいずれかが入力された場合「制御装置重故障」の信号を出力するＯＲ論理のものである。「制御装置軽故障（ＲＡＬ０２９５−２４）」、「制御装置状態表示（ＲＡＬ０２９５−２５）」についても同様のＯＲ論理である。
【０１２４】
なお、このソフトロジック図面では、例えば、信号名称欄１１３、ソフトロジック図シートＮｏ欄１１４、ＥＣＷＤシートＮｏ欄１１８等いずれかの記載を指定することによって、図書・図面ＤＢ検索部２４４Ｂ（図３参照）の機能により、その記載がある希望する別のＥＣＷＤ情報２０３ｃの図面、ソフトロジック図情報２０３ｄの図面、ＰＩ／Ｏテーブル図情報２０３ｅの図面を検索することができる。また、欄１１５ｂの記載を指定することによって、ＥＣＷＤ情報２０３ｃの当該機器を含む図面を検索することができるし、シートＮｏ欄１１５ｅを指定することによって、当該のソフトロジック図面を表示させることもできる。
【０１２５】
（ＰＩ／Ｏテーブル図（警報関係））
次に、図１２を参照しながらＰＩ／Ｏテーブル図情報２０３ｅの内のＰＩ／Ｏテーブル図（警報出力）の図面２０３ｅ１を例に説明する。
ＰＩ／Ｏテーブル図情報２０３ｅには、他に制御対象の機器、例えば、ポンプを通常運転中にプラント保護の観点から急停止させるトリップロジック、ポンプを通常運転中にプラント保護の観点から所定回転速度まで急減するランバックロジック、流量調節弁をプラント保護の観点から全閉するトリップロジック等各種のソフトロジックに関係するＰＩ／Ｏテーブル図面を含んでいる。
【０１２６】
図１２は、ＰＩ／Ｏテーブル図の図面例として警報出力関係のＰＩ／Ｏテーブル図の図面の１シートを説明する図である。図１２に示すようにシートタイトル欄１２０、シートＮｏ欄１２１、信号処理回路欄１２２、出力信号関係欄１２３を含んでいる。
図１２の例ではＰＩ／Ｏテーブル図のシートＮｏは「ＲＡＬ０２９５」である。シートＮｏ欄１２１には、前記したシートＮｏ「ＲＡ１０２」のＥＣＷＤ図面２０３ｃ２に記載のユニットＮｏ欄９６ｃ（図１０参照）に記載（「Ｂ００−ＲＡ」）に対応するユニットＮｏ欄１２２ａ、スロットＮｏ欄９６ｄ（図１０参照）に記載（「５」）に対応するスロットＮｏ欄１２２ｂ、ボード型式欄９６ｅ（図１０参照）に記載（「ＬＰＦ６３１Ａ」）に対応するボード型式欄１２２ｃを含んでいる。
【０１２７】
出力信号関係欄１２３は、「通しＮｏ」と表示の通番欄１２３ａ、チャンネルＮｏ欄９７ｂ（図１０参照）に対応するチャンネルＮｏ欄１２３ｂ、信号名称欄１２３ｃ、信号名称（符号表示）欄１２３ｄ、その信号名称の信号が出力として表示されているソフトロジック図面のシートＮｏ欄１２３ｅ、その信号名称の信号が出力として表示されているＥＣＷＤ図面のシートＮｏ欄１２３ｆ、信号接続先情報欄１２４を含んでいる。
【０１２８】
信号接続先情報欄１２４は、出力信号を受ける計器／機器の端子Ｎｏを示す端子Ｎｏ欄１２４ａ、出力信号を受ける計器／機器を示す計器／機器Ｎｏ欄１２４ｂ、出力信号を受ける計器／機器の記載されているＥＣＷＤ図面のシートＮｏを示す取合いシートＮｏ欄１２４ｃ（図中、「取合いＳＨ．Ｎｏ」と表示）を含んでいる。
【０１２９】
なお、このＰＩ／Ｏテーブル図面では、例えば、信号名称欄１２３ｄ、ソフトロジック図シートＮｏ欄１２３ｅ、ＥＣＷＤシートＮｏ欄１２３ｆ等いずれかの記載を指定することによって、図書・図面ＤＢ検索部２４４Ｂ（図３参照）の機能により、その記載がある希望する別のＥＣＷＤ情報２０３ｃの図面、ソフトロジック図情報２０３ｄの図面、ＰＩ／Ｏテーブル図情報２０３ｅの図面を検索することができる。
【０１３０】
また、計器／機器Ｎｏ欄１２４ｂの記載を指定することによりその記載が含まれるＥＣＷＤ情報２０３ｃの図面、ソフトロジック図情報２０３ｄの図面、ＰＩ／Ｏテーブル図情報２０３ｅの図面を検索することができる。もちろん、取合いシートＮｏ欄１２４ｃの記載を指定して、そのＥＣＷＤ図面を表示させることもできる。
【０１３１】
（ＩＢＤ（警報出力））
次に、図１３を参照しながらＩＢＤ情報２０３ｆの内のＩＢＤ（警報出力）の図面２０３ｆ１を例に説明する。
ＩＢＤ情報２０３ｆには、他に制御対象の機器、例えば、ポンプを通常運転中にプラント保護の観点から急停止させるトリップロジック、ポンプを通常運転中にプラント保護の観点から所定回転速度まで急減するランバックロジック、流量調節弁をプラント保護の観点から全閉するトリップロジック等各種のＩＢＤ図面を含んでいる。
【０１３２】
図１３は、ＩＢＤの図面例として警報出力関係のＩＢＤの図面の１シートを説明する図である。図１３に示すようにシートタイトル欄１３０、系統名欄１３１、シートＮｏ欄１３２、入力信号名称欄１３３、論理パターン欄１３４、アナウンシエータ出力１３５（図中、「ＡＮＮ」で表示）、状態表示１３６、状態表示凡例欄１３７を含んでいる。
【０１３３】
入力信号名称欄１３３には、警報や異常を示す信号名称として、例えば、太線枠内に示したように信号名称として「制御装置軽故障」と表示されるとともに、その信号名称を符号で示した「ＲＡＬ０２９５−２４」も表示される。論理パターン欄１３４には、ＡＮＤ論理やＯＲ論理等の論理パターンが、単一、複数、又は多重段で示され、入力信号に対し、どのような条件でアナウンシエータ出力１３５に警報が出力されるか、又、どのような条件で状態表示１３６に表示がなされるかをロジック記号で示したものである。
【０１３４】
この例では、ＯＲ論理パターンが用いられ、「制御装置重故障（ＲＡＬ０２９５−２３）」、「ＨＭＩ重故障（ＲＡＬ０３０１−２３）」、「制御装置軽故障（ＲＡＬ０２９５−２４）」、「ＨＭＩ軽故障（ＲＡＬ０３０１−２４）」のいずれかがでればアナウンシエータ出力１３５に出力されることを示している。また、論理パターン欄１３４は、前記した故障信号に加え、「制御装置状態表示（ＲＡＬ０２９５−２５）」のうちのいずれかが入力されたら状態表示１３６に出力されることを示している。
【０１３５】
ここで、状態表示凡例欄１３７には、「制御装置軽故障（ＲＡＬ０２９５−２４）」が出力されたときには、状態表示１３６に「制御装置軽故障  ＲＡＬ４０７７（ＲＡＬ０２９５−２４）」を示し、故障信号「制御装置軽故障（ＲＡＬ０２９５−２４）」とソフトロジック図面のシートＮｏ「ＲＡＬ４０７７」を表示することを示している。
ちなみに、「ＨＭＩ重故障（ＲＡＬ０３０１−２３）」、「ＨＭＩ軽故障（ＲＡＬ０３０１−２４）」の「ＨＭＩ」は、ヒューマン・マシン・インタフェース装置のことを意味している。
【０１３６】
なお、本実施形態では、ＩＢＤ情報２０３ｆもＣＡＤ情報の電子ファイルとしており、入力信号名称欄１３３を指定することにより、図書・図面ＤＢ検索部２４４Ｂ（図３参照）で対応する信号名称の記載されているソフトロジック図情報２０３ｄの図面やＰＩ／Ｏテーブル図情報２０３ｅの図面を検索可能になっている。
【０１３７】
図１４の流れ図は、実施側の担当者、管理者側の担当者、現場の実施側の担当者の各作業の流れ（矢印符号「⇒」で表示）と、作業管理サーバ計算機２００の処理の流れ（破線矢印符号で表示）、現場保守支援サーバ計算機３００の処理の流れ（実線矢印符号「→」で表示）、故障警報原因検索サーバ計算機６００の処理の流れ（一点鎖線矢印符号で表示）を示したフローチャートである。
【０１３８】
ステップＳ０１Ａでは、実施側の担当者が現場保守支援サーバ計算機（実施側）３００（図３参照）の要領書管理部（実施側）３２２（図３参照）の機能を用いて要領書を作成し、上司の承認を得て、電子情報の形で、管理側に提出する（実施側要領書作成）。そのとき養生リスト編集部３４７Ａ（図３参照）で養生リスト８０を編集するが、その作成途中段階では、図７から図９に示したように隔離警報欄９１、参考非隔離警報欄９２も付いた表として作成される。そして、ステップＳ０１Ｂでは、要領書に添付される養生リスト８０として編集される段階で、隔離警報欄９１、参考非隔離警報欄９２は切離されて、後記する隔離−警報関係付けリスト１４０（図２１参照）として作成され、隔離−警報関係ＤＢ３０５に格納される。
【０１３９】
そして、ステップＳ０１ＡからステップＳ０２へ進み、現場保守支援サーバ計算機（実施側）３００（図１参照）からネットワーク３（図１参照）を介して電子ファイルの形で実施側の承認管理手続きが終了した要領書（養生リスト８０を含む）が作業管理サーバ計算機（管理側）２００（図１参照）へ提出される。
ステップＳ０２では、作業管理サーバ計算機（管理側）２００（図２参照）が、要領書管理部（管理側）２４１（図２参照）の機能を用いてステップＳ０１Ａで送信された要領書を受領し、管理側の担当者が要領書管理部（管理側）２４１の機能を用いて調査し、上司の承認を得る（「管理側要領書承認」）。
【０１４０】
ステップＳ０３Ａでは、管理側担当者は、要領書管理部（管理側）２４１の機能を用い、その要領書を要領書ＤＢ２０９に格納するとともに、実施側に電子ファイルの形でネットワーク３を介して送信（承認返却）する。それを受けて、ステップＳ０３Ｂでは、実施側担当者は、要領書管理部（実施側）３２２（図３参照）の承認管理部３４１（図３参照）の機能を用いて、承認された要領書を上司に報告するとともに、要領書ＤＢ３０２にその要領書を格納する。
【０１４１】
ステップＳ０４では、管理側の担当者は、作業管理サーバ計算機（管理側）２００の作業票管理部（管理側）２２９（図２参照）の機能を用いて要領書ＤＢ２０９の当該の要領書を読み出し、作業票作成発行管理部２７１（図２参照）を利用して、１つの作業件名に対して作業ステップ毎の作業内容を指示する作業票を作成する。このときその作業票の内容に作業タグ１５の取付け作業、つまり隔離処理の作業が含まれている場合は、要領書に添付されている養生リスト８０に基づいて作業タグ１５の発行も行う（管理側作業票作成（作業タグの発行））。このとき、作業タグ１５の発行の場合、作業タグ発行支援部２７２を利用し作業タグ情報２０６ｂ（図２参照）を生成するが、ＲＦＩＤタグプリンタ７ｃを介してＩＤ情報を読み出し、作業タグ情報２０６ｂとＩＤ情報を関係付ける。
ステップＳ０５では、作業管理サーバ計算機（管理側）２００の作業票作成発行管理部２７１は、生成された作業票情報２０６ａを作業票ＤＢ２０６に登録する（「作業票ＤＢへ格納」）。
【０１４２】
ステップＳ０６では、実施側の作業者が現場代理人、管理側の立会者らの立会いの下で隔離箇所の切離し作業を実施し、作業タグ１５を取り付ける（「隔離箇所の切離し作業の実施（作業タグ取り付け）」）。その後、ステップＳ０７において、実施側の作業者が携帯端末装置１３を用いて、隔離箇所の切離し作業に対する作業記録を作成する。その際、作業タグ１５のＲＦＩＤタグ１６Ａを読み取り、作業タグＩＤを特定し、その作業タグ１５に係る作業タグ情報２０６ｂと関係付け、更に実施側の作業者及び現場代理人、管理側の立会者の個人ＩＤカード１９のＲＦＩＤタグ１６Ｂの情報を読み出し、それぞれ、作業者、現場代理人、立会者を特定する情報として作業記録情報に加え、作業管理サーバ計算機（管理側）２００に送信する（「携帯端末装置から作業記録情報を送信」）。
【０１４３】
ステップＳ０８では、作業管理サーバ計算機（管理側）２００の点検・隔離管理部（管理側）２２７の作業タグ管理部２３１が受信し、工程管理インターフェース２３２により工程ＤＢ２０８の工程情報と参照して、点検・隔離ＤＢ２０７の作業記録情報に対応した点検・隔離情報を更新する（「点検・隔離ＤＢに反映」）。
ステップＳ０９では、作業管理サーバ計算機（管理側）２００の点検・隔離管理部（管理側）２２７は、実施側にその作業記録情報を転送して、対応した点検・隔離情報を更新したことを通知する（「実施側に通知」）。
ステップＳ１０では、現場保守支援サーバ計算機（実施側）３００の点検・隔離管理インターフェース（実施側）３２７の点検・隔離情報収集部３７３が、作業記録情報を収集する（「作業記録情報収集」）。
その後、点検対象機器の保守点検作業がなされる。
【０１４４】
点検対象機器の保守点検作業が完了すると、ステップＳ１１では、実施側の作業者が現場代理人、管理側の立会者らの立会いの下で隔離箇所の復旧作業を実施し、作業タグ１５を取り外す（「隔離箇所の復旧作業の実施（作業タグ回収）」）。その後、ステップＳ１２において、実施側の作業者が携帯端末装置１３を用いて、ステップＳ０７と同様に隔離箇所の復旧作業に対する作業記録を作成し、作業管理サーバ計算機（管理側）２００に送信する（「携帯端末装置から作業記録情報を送信」）。その後、制御はステップＳ１２からステップＳ１３に移行する。
なお、ステップＳ１１の作業の後は、ステップＳ１６の作業へと進む（「養生リスト編集」）。
【０１４５】
ステップＳ１３では、作業管理サーバ計算機（管理側）２００の点検・隔離管理部（管理側）２２７の作業タグ管理部２３１が、ステップＳ１２からの作業記録情報送信を受信し、工程管理インターフェース２３２により工程ＤＢ２０８の工程情報と参照して、点検・隔離ＤＢ２０７の作業記録情報に対応した点検・隔離情報を更新する（「点検・隔離ＤＢに反映」）。
ステップＳ１４では、作業管理サーバ計算機（管理側）２００の点検・隔離管理部（管理側）２２７は、実施側にその作業記録情報を転送して、対応した点検・隔離情報を更新したことを通知する（「実施側に通知」）。
ステップＳ１５では、現場保守支援サーバ計算機（実施側）３００の点検・隔離管理インターフェース（実施側）３２７の点検・隔離情報収集部３７３が、作業記録情報を収集する（「作業記録情報収集」）。
【０１４６】
なお、ステップＳ１０、ステップＳ１５で収集された隔離箇所の切離し作業及び復旧作業に対する作業記録情報は、現場保守支援サーバ計算機（実施側）３００の図示しない記憶装置の前もって設定された領域に記憶され、前記した点検・隔離管理インターフェース（実施側）３２７及び養生リスト編集部３６４を用いてアクセスできるようになっている。
【０１４７】
ステップＳ１６では、実施側の担当者が現場保守支援サーバ計算機（実施側）３００の報告書管理部（実施側）３２３の養生リスト編集部３６４を利用して養生リスト８０の記録欄に作業記録情報を転記する（「養生リスト編集」）。具体的には、ステップＳ１０及びステップＳ１５で収集された作業記録情報を読み出し、転記する。
その後、ステップＳ１７では、報告書のその他の項目の内容、例えば、取替え部品リスト、使用計器・試験装置リスト、使用工具・器材リストについても編集して、報告書を作成するとともに、ステップＳ０１Ｂで格納した隔離−警報関係付けリスト１４０を添付する。
【０１４８】
ステップＳ１８では、実施側の担当者は、現場保守支援サーバ計算機（実施側）３００の報告書管理部（実施側）３２３の承認管理部３６１（図３参照）を用い上司の承認手続きを経た後、管理側にステップＳ１６で作成した報告書と隔離−警報関係付けリスト１４０を、ネットワーク３を介して電子ファイルの形式で作業管理サーバ計算機（管理側）２００に提出（送信）する。その後、結合子（１）に従って、図１５のステップＳ１９へ進む。
【０１４９】
ステップＳ１９では、作業管理サーバ計算機（管理側）２００の報告書管理部（管理側）２５１（図２参照）が提出された報告書を受信し、管理側の担当者が報告書管理部（管理側）２５１（図２参照）を用いて上司の承認手続きを経て、報告書を承認し、ステップＳ２０へ進み、承認された報告書を報告書ＤＢ２１０に格納するとともに、現場保守支援サーバ計算機（実施側）３００へも承認された報告書を送信する（「報告書ＤＢへ格納及び実施側へ送信」）。それを受け、現場保守支援サーバ計算機（実施側）３００の実施側の担当者は、報告書管理部（実施側）３２３の承認管理部３６１の機能で上司に報告書の承認報告をするとともに、報告書ＤＢ３０３に承認された報告書を格納する。
【０１５０】
ステップＳ２１では、管理側の担当者は、作業管理サーバ計算機（管理側）２００の報告書管理部（管理側）２５１の隔離−警報関係編集部２５５の機能を用いて、報告書に添付された隔離−警報関係付けリスト１４０（図２１参照）を一時的に格納し、更に、ステップＳ２２では、管理側の担当者は、添付された隔離−警報関係付けリスト１４０を故障警報原因検索サーバ計算機６００（図１参照）に転送すると、故障警報原因検索サーバ計算機６００は、隔離−警報関係付けリスト１４０を受信して自動的に隔離−警報関係付けリスト１４０の内の新たな情報のみを隔離−警報関係ＤＢ（隔離情報リスト蓄積手段）２１１に格納（蓄積）させる。
【０１５１】
これで、要領書作成、要領書承認、保守点検作業の実施及び作業記録の収集、保守作業の報告書の作成及び隔離−警報関係付けリスト１４０の作成、報告書の承認、隔離−警報関係付けリスト１４０の蓄積という保守作業に係る全体の作業が終了する。
【０１５２】
次に、図１６から図２０を参照しながら、適宜、図５から図９を参照して養生リスト８０の作成及び隔離−警報関係付けリスト１４０の作成の流れについて説明する。図１６から図１９は、養生リスト（隔離リスト）の生成及び隔離−警報関係付けリスト作成の流れを示すフローチャートである。
この処理は、現場保守支援サーバ計算機（実施側）３００のＰ＆ＩＤ隔離作業要領作成支援部２２３、単線結線図隔離作業要領作成支援部２２４、ＥＣＷＤ隔離作業要領作成支援部２２５、養生リスト編集部３４７及び養生リスト編集部３４７Ａに含まれる隔離−警報関係付けリスト編集部３４７Ｂにおいてなされる。
【０１５３】
ステップＳ３１では、隔離レベルの選択を受付ける。隔離レベルの選択とは、現場保守端末装置９を操作する実施側の担当者が、現場保守支援サーバ計算機（実施側）３００にアクセスしてその機能のＰ＆ＩＤ隔離作業要領作成支援部２２３、単線結線図隔離作業要領作成支援部２２４、ＥＣＷＤ隔離作業要領作成支援部２２５のいずれを選択して隔離作業の要領書を作成するかで決まる。ここでは、Ｐ＆ＩＤ隔離作業要領作成支援部２２３を使用する場合を「系統機器」、単線結線図隔離作業要領作成支援部２２４を使用する場合を「電源機器」、ＥＣＷＤ隔離作業要領作成支援部２２５を使用する場合を「制御盤」として表示してある。
【０１５４】
「系統機器」の場合は、ステップＳ３２へ進み、「電源機器」の場合は、結合子（Ａ）に従って、図１９のステップＳ６１へ進み、「制御盤」の場合は、結合子（Ｂ）に従って、図２０のステップＳ７１へ進む。この段階で、現場保守端末装置９の表示装置の画面に図７から図９に示した書式の養生リスト（作成途中段階）８０が、自動的にポップアップ画面として表示される。
ステップＳ３２では、担当者は、図書・図面ＤＢ検索部２４４Ｂを用いて当該のＰ＆ＩＤ情報２０３ａの図面を図面ＤＢ２０３Ｂから検索して表示させ、Ｐ＆ＩＤ隔離作業要領作成支援部２２３を用いる。Ｐ＆ＩＤ隔離作業要領作成支援部２２３は、系統図（Ｐ＆ＩＤ）上で、担当者の入力による隔離範囲６９の指定を受付ける。
【０１５５】
そして、ステップＳ３３では、指定範囲の隔離機器を養生リスト（作成途中段階）８０に主機器として登録を受付ける。例えば、図５に示した例では、隔離範囲６９を枠設定して、その中に含まれる機器を色変え表示させ、その隔離範囲６９に含まれるポンプ６３、電動弁６２，６４、ポンプドレイン弁６５、手動弁６６，６７を個々に指定することにより、自動的に機器Ｎｏ欄８３、関連機器Ｎｏ欄８９に機器Ｎｏが入力されるとともに、主／従欄８７に主機器として入力される。
【０１５６】
ステップＳ３４では、主機器の登録終了か否かをチェックする。これは、隔離範囲６９を枠設定して、その中に含まれる機器を色変え表示させたものが全て選択完了されたか否かで確認できる。主機器の登録終了の場合（Ｙｅｓ）は、ステップＳ３５へ進み、そうでない場合（Ｎｏ）は、ステップＳ３３へ戻る。
ステップＳ３５では、養生リスト（作成途中段階）８０から主機器の選択を受付ける。そしてその状態で、場所欄８４、隔離状態欄８５、復旧欄８６、備考欄８８を担当者が手入力するのを受付ける。例えば、隔離状態欄８５に隔離のための操作状態の設定入力（隔離のための操作状態を設定）を受付け、復旧欄８６に機器等の復旧時の操作内容の設定入力を受付ける。
【０１５７】
ステップＳ３６Ａでは、Ｐ＆ＩＤ上で、ステップＳ３５で指定された機器Ｎｏに関係する計装機器がある場合には、その計装機器に対して隔離処理が必要か否かを、担当者が判断して、隔離処理が必要な計装機器を従機器として指定入力するのを受付ける（Ｐ＆ＩＤ上で従機器の計装機器を指定の受付け）。従機器として指定入力するのは、当該の計装機器の機器Ｎｏを選択指定することによって、養生リスト（作成途中段階）８０の機器Ｎｏ欄８３に指定された計装機器の機器Ｎｏが入力され、主／従欄８７に従機器と入力され、関連機器Ｎｏ欄８９にステップＳ３５で選択された機器Ｎｏ欄８３の機器Ｎｏが入力される。
【０１５８】
例えば、図７において、機器Ｎｏ欄８３の機器番号「ＸＸＸＡ−ＰＵＭＰ−０２０−１」を選択して、図５の制御盤コントローラ６３−１や、現場温度計６３−２が選択されるとこれらが従機器として指定できる。その後、従機器の場所欄８４、隔離状態欄８５、復旧欄８６、備考欄８８を担当者が手入力するのを受付ける。例えば、隔離状態欄８５に隔離のための操作状態の設定入力（隔離のための操作状態を設定）を受付け、復旧欄８６に機器等の復旧時の操作内容の設定入力を受付ける。
このステップＳ３６Ａの処理工程が、特許請求の範囲に記載の「図面検索工程で検索した図面上の機器が指定されると、該機器に接続されている次の操作機器を隔離境界として隔離範囲を決定し、該隔離範囲に存在する操作対象機器の各々に隔離のための操作状態を設定する隔離時操作状態設定工程」に対応する。
【０１５９】
ステップＳ３６Ｂでは、選択された主機器に係る単線結線図を図書・図面ＤＢ検索部２４４Ｂを用いて検索表示させる。そして、ステップＳ３７では、表示された単線結線図からスイッチ等の機器を、担当者が検索して、隔離処理に必要な機器を養生リスト（作成途中段階）８０に従機器として登録する。その後、従機器の場所欄８４、隔離状態欄８５、復旧欄８６、備考欄８８を担当者が手入力するのを受付ける。例えば、隔離状態欄８５に隔離のための操作状態の設定入力（隔離のための操作状態を設定）を受付け、復旧欄８６に機器等の復旧時の操作内容の設定入力を受付ける。
【０１６０】
ステップＳ３８では、養生リスト（作成途中段階）８０に登録された主機器に対する従機器の登録が完了したか否かをチェックする。これは、担当者が、次のステップへ進むアイコンボタンを操作したか否かで判定される。主機器に対する従機器の登録が完了した場合（Ｙｅｓ）は、ステップＳ３９へ進み、そうでない場合（Ｎｏ）は、ステップＳ３５へ戻る。
ステップＳ３９では、養生リスト（作成途中段階）８０から主機器の選択を受付ける。ステップＳ４０では、担当者は図書・図面ＤＢ検索部２４４Ｂを用いて、ステップＳ３９で選択された主機器に係る計装のＥＣＷＤ、ソフトロジック図、ＰＩ／Ｏテーブル図を図面ＤＢ２０３Ｂから検索して表示させる。ここで、ＥＣＷＤ隔離作業要領作成支援部２２５が自動起動して前記図面状のデータの検索等を行う。
【０１６１】
ステップＳ４１では、担当者はＰＩ／Ｏテーブル図（警報出力）とプラント運用ルール情報に基づいて、警報バイパスの必要の有無を判定する。警報バイパスの必要のある場合は、結合子（Ｃ）に従って図１７のステップＳ４２へ進み、警報バイパスの必要のない場合は、結合子（Ｄ）に従って図１７のステップＳ４４へ進む。
【０１６２】
ステップＳ４２では、ＥＣＷＤ隔離作業要領作成支援部２２５が、当該のＥＣＷＤの図面に対して端子、スイッチ、ジャンパ部を自動検索して、色変え表示をし、担当者がバイパス処理をする対象を選択しやすくする。そして、担当者は、バイパス処理をする信号名称、端子Ｎｏ（もしくはスイッチＮｏ、ジャンパ部Ｎｏ、機器Ｎｏ）と、それに関するＥＣＷＤシートＮｏ、ソフトロジック図シートＮｏ、ＰＩ／Ｏテーブル図シートＮｏ等をＥＣＷＤの図面上で指定することによって養生リスト（作成途中段階）８０に登録する。これは、図７における機器Ｎｏ欄８３の当該主機器の機器Ｎｏの行において、図８における欄９１ａから９１ｃに前記データを自動記入することを意味する。
【０１６３】
ここで、バイパス処理する、つまり出力、又は入力させないようにする信号名称は、警報信号に限定されず、制御信号も含む。それは、従機器が上流からの制御信号を受けて、復旧時にいきなり動作を開始して回転速度制御されるポンプなり、開度調整される弁が異常動作を開始するのを防止する目的も含むためである。
このとき、例えば、隔離状態欄８５に隔離のための操作状態の設定入力（隔離のための操作状態を設定）を受付け、復旧欄８６に機器等の復旧時の操作内容の設定入力を受付ける。
【０１６４】
ステップＳ４３では、担当者は、図書・図面ＤＢ検索部２４４Ｂを用いて、前記ステップＳ４２において指定した信号名称に基づいて、ＩＢＤの当該シートＮｏを検索して、養生リスト（作成途中段階）８０の当該主機器の隔離警報欄９１のＩＢＤシートＮｏ欄９１ｄに登録する。その後ステップＳ４６へ進む。
【０１６５】
ステップＳ４４では、担当者は表示されたＥＣＷＤの図面の中から警報信号に係るＥＣＷＤシートＮｏがあるか否かを検索し、ある場合には、信号名称とそれに関係するＥＣＷＤシートＮｏ、ソフトロジック図シートＮｏ、ＰＩ／Ｏテーブル図シートＮｏ等を養生リスト（作成途中段階）８０の参考非隔離警報欄９２の欄９２ａ〜９２ｃに登録する。
ちなみに、ソフトロジック図シートＮｏ、ＰＩ／Ｏテーブル図シートＮｏは、警報信号の信号名称をＥＣＷＤの図面上で指定して、図書・図面ＤＢ検索部２４４Ｂを用いて、ソフトロジック図、ＰＩ／Ｏテーブル図を検索させることで容易に取得できる。
【０１６６】
ステップＳ４５では、担当者は、図書・図面ＤＢ検索部２４４Ｂを用いて、前記ステップＳ４４において指定した信号名称に基づいて、ＩＢＤの当該シートＮｏを検索して、養生リスト（作成途中段階）８０の当該従機器の参考非隔離警報欄９２のＩＢＤシートＮｏ欄９２ｄに登録する。その後ステップＳ４６へ進む。
【０１６７】
ステップＳ４６では、選択された主機器に係る計装の処理が終了したか否かをチェックする。これは、担当者が、次のステップへ進むアイコンボタンを操作したか否かで判定される。選択された主機器に対する計装の処理が終了した場合（Ｙｅｓ）は、ステップＳ４７へ進み、そうでない場合（Ｎｏ）は、結合子（Ｅ）に従って、ステップＳ３９へ戻る。
ちなみに、ステップＳ３９〜Ｓ４５は、隔離処理される主機器が制御装置の場合に必要になる流れであり、主機器が制御装置でない場合は、ジャンプさせることができるようにアイコンボタンが用意されている。
【０１６８】
ステップＳ４７では、養生リスト（作成途中段階）８０においてステップＳ３６Ａ，Ｓ３７で登録された従機器の選択を受付ける。ステップＳ４８では、選択された従機器に係る計装のＥＣＷＤ、ソフトロジック図、ＰＩ／Ｏテーブル図を図面ＤＢ２０３Ｂから検索して表示させる。ここで、ＥＣＷＤ隔離作業要領作成支援部２２５が自動起動して前記図面状のデータの検索等を行う。
【０１６９】
ステップＳ４９では、担当者はＰＩ／Ｏテーブル図（警報出力）とプラント運用ルール情報に基づいて、警報バイパスの必要の有無を判定する。警報バイパスの必要のある場合は、ステップＳ５０へ進み、警報バイパスの必要のない場合は、ステップＳ５２へ進む。
ステップＳ５０では、ＥＣＷＤ隔離作業要領作成支援部２２５が、当該のＥＣＷＤの図面に対して端子、スイッチ、ジャンパ部を自動検索して、色変え表示をし、担当者がバイパス処理をする対象を選択しやすくする。このとき、例えば、隔離状態欄８５に隔離のための操作状態の設定入力（隔離のための操作状態を設定）を受付け、復旧欄８６に機器等の復旧時の操作内容の設定入力を受付ける。
このステップＳ５０の処理工程が、特許請求の範囲に記載の「図面検索工程で検索した図面上の機器が指定されると、該機器に接続されている次の操作機器を隔離境界として隔離範囲を決定し、該隔離範囲に存在する操作対象機器の各々に隔離のための操作状態を設定する隔離時操作状態設定工程」に対応する。
【０１７０】
そして、担当者は、バイパス処理をする信号名称、端子Ｎｏ（もしくはスイッチＮｏ、ジャンパ部Ｎｏ、機器Ｎｏ）と、それに関するＥＣＷＤシートＮｏ、ソフトロジック図シートＮｏ、ＰＩ／Ｏテーブル図シートＮｏ等をＥＣＷＤの図面上で指定することによって養生リスト（作成途中段階）８０に登録する。これは、図７における機器Ｎｏ欄８３の当該従機器の行において、図８における欄９１ａから９１ｃに前記データを自動記入することを意味する。
【０１７１】
ここで、バイパス処理する、つまり出力、又は入力させないようにする信号名称は、警報信号に限定されず、制御信号も含む。それは、従機器が上流からの制御信号を受けて、復旧時にいきなり動作を開始して回転速度制御されるポンプなり、開度調整される弁が異常動作を開始するのを防止する目的も含むためである。
【０１７２】
ステップＳ５１では、担当者は、図書・図面ＤＢ検索部２４４Ｂを用いて、前記ステップＳ５０において指定した信号名称に基づいて、ＩＢＤの当該シートＮｏを検索して、養生リスト（作成途中段階）８０の当該従機器の隔離警報欄９１のＩＢＤシートＮｏ欄９１ｄに登録する。その後、結合子（Ｆ）に従って、図１８のステップＳ５４へ進む。
【０１７３】
ステップＳ５２では、担当者は表示されたＥＣＷＤの図面の中から警報信号に係るＥＣＷＤシートＮｏがあるか否かを検索し、ある場合には、信号名称とそれに関係するＥＣＷＤシートＮｏ、ソフトロジック図シートＮｏ、ＰＩ／Ｏテーブル図シートＮｏ等を養生リスト（作成途中段階）８０の参考非隔離警報欄９２の欄９２ａ〜９２ｃに登録する。
ちなみに、ソフトロジック図シートＮｏ、ＰＩ／Ｏテーブル図シートＮｏは、警報信号の信号名称をＥＣＷＤの図面上で指定して、図書・図面ＤＢ検索部２４４Ｂを用いて、ソフトロジック図、ＰＩ／Ｏテーブル図を検索させることで容易に取得できる。
【０１７４】
ステップＳ５３では、担当者は、図書・図面ＤＢ検索部２４４Ｂを用いて、前記ステップＳ５２において指定した信号名称に基づいて、ＩＢＤの当該シートＮｏを検索して、養生リスト（作成途中段階）８０の当該従機器の参考非隔離警報欄９２のＩＢＤシートＮｏ欄９２ｄに登録する。その後、結合子（Ｆ）に従って、図１８のステップＳ５４へ進む。
【０１７５】
ステップＳ５４では、選択された従機器に係る計装の処理が終了したか否かをチェックする。これは、担当者が、次のステップへ進むアイコンボタンを操作したか否かで判定される。選択された主機器に対する計装の処理が終了した場合（Ｙｅｓ）は、ステップＳ５５へ進み、そうでない場合（Ｎｏ）は、結合子（Ｇ）に従って、ステップＳ４７へ戻る。
【０１７６】
ステップＳ５５では、担当者は、養生リスト編集部３４７Ａにより作成された養生リスト（作成途中段階）８０に対して、隔離−警報関係付けリスト編集部３４７Ｂにより、隔離警報欄９１及び参考非隔離警報欄９２に記載のある主機器、従機器の項を抽出して、隔離−警報関係付けリスト１４０を作成して、隔離−警報関係ＤＢ３０５に保存する。
ステップＳ５６では、担当者の操作により養生リスト編集部３４７Ａは、作成された養生リスト（作成途中段階）８０に対して、隔離警報欄９１、参考非隔離警報欄９２を削除して養生リスト８０の提出版を作成して、要領書の一部として要領書ＤＢ３０２に保存する。
【０１７７】
なお、図示省略するが養生リスト（作成途中段階）８０の欄９０の右側に特許文献３の図１８示された記録欄３６として隔離時記録欄３７、復旧時記録欄３８を設け、隔離時記録欄３７の中に実施日欄３７ａ、実施者欄３７ｂ、立会者欄３７ｃを配置し、復旧時記録欄３８の中に実施日欄３８ａ、実施者欄３８ｂ、立会者欄３８ｃを配置して、作業記録の書式とすることが好ましい。
【０１７８】
図１６のステップＳ３１から結合子（Ａ）に従って、図１９のステップＳ６１へ進むと、担当者は、図書・図面ＤＢ検索部２４４Ｂを用いて当該の単線結線図情報２０３ｂの図面を図面ＤＢ２０３Ｂから検索して表示させ、単線結線図隔離作業要領作成支援部２２４を用いる。単線結線図隔離作業要領作成支援部２２４は、単線結線図上で、担当者の入力による隔離範囲７９の指定を受付ける。そして、ステップＳ６２では、指定範囲の隔離機器を養生リスト（作成途中段階）８０に主機器として登録を受付ける。そのとき、隔離状態欄８５に隔離のための操作状態の設定入力（隔離のための操作状態を設定）を受付け、復旧欄８６に機器等の復旧時の操作内容の設定入力を受付ける。
【０１７９】
ステップＳ６３では、主機器の登録終了か否かをチェックする。これは、例えば、図６の隔離範囲７９を枠設定して、その中に含まれる機器を色変え表示させたものが全て選択完了されたか否かで確認できる。主機器の登録終了の場合（Ｙｅｓ）は、ステップＳ６４へ進み、そうでない場合（Ｎｏ）は、ステップＳ６２へ戻る。
【０１８０】
ステップＳ６４では、養生リスト（作成途中段階）８０から主機器の選択を受付ける。そしてその状態で、場所欄８４、隔離状態欄８５、復旧欄８６、備考欄８８を担当者が手入力するのを受付ける。例えば、隔離状態欄８５に隔離のための操作状態の設定入力（隔離のための操作状態を設定）を受付け、復旧欄８６に機器等の復旧時の操作内容の設定入力を受付ける。
【０１８１】
ステップＳ６５では、担当者は、単線結線図上で、ステップＳ６４で指定された主機器から給電されている下流側の制御盤、系統機器等を検索して養生リスト（作成途中段階）８０に従機器として指定入力するのを受付け登録する。従機器として指定入力するのは、当該の制御盤Ｎｏ、系統機器の機器Ｎｏを選択指定することによって、養生リスト（作成途中段階）８０の機器Ｎｏ欄８３に指定された盤Ｎｏ又は機器Ｎｏが入力され、主／従欄８７に従機器と入力され、関連機器Ｎｏ欄８９にステップＳ６４で選択された機器Ｎｏ欄８３の機器Ｎｏが入力される。その後、従機器の場所欄８４、隔離状態欄８５、復旧欄８６、備考欄８８を担当者が手入力するのを受付ける。
【０１８２】
ステップＳ６６では、養生リスト（作成途中段階）８０に登録された主機器に対する従機器の登録が完了したか否かをチェックする。これは、担当者が、次のステップへ進むアイコンボタンを操作したか否かで判定される。主機器に対する従機器の登録が完了した場合（Ｙｅｓ）は、結合子（Ｈ）に従って、図１６のステップＳ３９へ進み、そうでない場合（Ｎｏ）は、ステップＳ６４へ戻る。
【０１８３】
図１６のステップＳ３１から結合子（Ｂ）に従って、図２０のステップＳ７１へ進むと、担当者はＥＣＷＤ隔離作業要領作成支援部２２５を用い、ＥＣＷＤ隔離作業要領作成支援部２２５が当該制御盤の指定を受付け、当該制御盤のＥＣＷＤの最上位のシートを検索する。
ステップＳ７２では、担当者はＥＣＷＤ隔離作業要領作成支援部２２５を用い、ＥＣＷＤ隔離作業要領作成支援部２２５がＥＣＷＤシート上で隔離範囲（図示せず）の指定を受付ける。そして、ステップＳ７３では、指定範囲の隔離機器を養生リスト（作成途中段階）８０に主機器として登録を受付ける。そして、例えば、隔離状態欄８５に隔離のための操作状態の設定入力（隔離のための操作状態を設定）を受付け、復旧欄８６に機器等の復旧時の操作内容の設定入力を受付ける。
ステップＳ７４では、主機器の登録終了か否かをチェックする。これは、担当者が次のステップへのアイコンボタンを操作したか否かでチェックできる。主機器の登録終了の場合（Ｙｅｓ）は、ステップＳ７５へ進み、そうでない場合（Ｎｏ）は、ステップＳ７３へ戻る。
【０１８４】
ステップＳ７５では、養生リスト（作成途中段階）８０から主機器の選択を受付ける。そしてその状態で、場所欄８４、隔離状態欄８５、復旧欄８６、備考欄８８を担当者が手入力するのを受付ける。
【０１８５】
ステップＳ７６では、担当者は、ＥＣＷＤ上で、ステップＳ７３で指定された主機器から給電又は制御信号を受けている上下流側のユニット、計器／機器等を検索して養生リスト（作成途中段階）８０に従機器として指定入力するのを受付け登録する。従機器として指定入力するのは、当該のユニットＮｏ、計器／機器Ｎｏを選択指定することによって、養生リスト（作成途中段階）８０の機器Ｎｏ欄８３に指定されたユニットの、計器／機器Ｎｏが入力され、主／従欄８７に従機器と入力され、関連機器Ｎｏ欄８９にステップＳ７５で選択された機器Ｎｏ欄８３の機器Ｎｏが入力される。その後、従機器の場所欄８４、隔離状態欄８５、復旧欄８６、備考欄８８を担当者が手入力するのを受付ける。例えば、隔離状態欄８５に隔離のための操作状態の設定入力（隔離のための操作状態を設定）を受付け、復旧欄８６に機器等の復旧時の操作内容の設定入力を受付ける。
なお、前記したように、欄８３〜８５，９０は、特許文献３の図１８の３５ａ〜３５ｈの欄の内容に置き換えると都合が良い。
【０１８６】
ステップＳ７７では、養生リスト（作成途中段階）８０に登録された主機器に対する従機器の登録が完了したか否かをチェックする。これは、担当者が、次のステップへ進むアイコンボタンを操作したか否かで判定される。主機器に対する従機器の登録が完了した場合（Ｙｅｓ）は、結合子（Ｈ）に従って、図１６のステップＳ３９へ進み、そうでない場合（Ｎｏ）は、ステップＳ７５へ戻る。
【０１８７】
本実施形態では、例えば、図５に示したＰ＆ＩＤの隔離範囲６９に対し、ステップＳ５５において図２１に示したような隔離−警報関係付けリスト１４０が生成され保存される。
この隔離−警報関係付けリスト１４０は、通番欄１４１、系統名欄１４２、図７の機器Ｎｏ欄８３に対応する欄１４３（図２１中では、「機器Ｎｏ／端子Ｎｏ」と表示）、図７の欄８７に対応する主／従欄１４５、図７の欄８９に対応する関連機器Ｎｏ欄１４６、図７の欄９０に対応する機器図面欄１４７、図８の欄９１ａ〜９１ｄ、又は図９の欄９２ａ〜９２ｄに対応する警報信号名称欄１４８、ソフトロジック図シートＮｏ欄１４９、ＰＩ／Ｏテーブル図シートＮｏ欄１５０、ＩＢＤシートＮｏ欄１５１から構成されている。
機器図面欄１４７は、例えば、Ｐ＆ＩＤ情報２０３ａ、単線結線図情報２０３ｂ、ＥＣＷＤ情報２０３ｃのいずれの種類の図面なのかを示す図面の種類欄１４７ａと、その図面のシートＮｏを示す図面シートＮｏ欄１４７ｂを含んでいる。つまり、図面の種類欄１４７ａ、図面シートＮｏ欄１４７ｂは、図７の図面の種類欄９０ａ、図面シートＮｏ欄９０ｂに対応している。
【０１８８】
この隔離−警報関係付けリスト１４０は、実施側が現場保守支援サーバ計算機（実施側）３００から報告書を作業管理サーバ計算機（管理側）２００に送信されるときにそれに添付されて送信される（図１４、図１５参照）。そして図１５のステップＳ２２で説明したように隔離−警報関係ＤＢ２１１に自動的に格納されるが、その詳細な流れを図２２で説明する。図２２は、新規の隔離−警報関係付けリストを隔離−警報関係ＤＢに蓄積する制御の流れを示すフローチャートである。この処理は故障警報原因検索サーバ計算機６００においてなされる。
【０１８９】
故障警報原因検索サーバ計算機６００が、作業管理サーバ計算機（管理側）２００から新規の隔離−警報関係付けリスト１４０を受信すると処理が開始される。
ステップＳ８１では、所定の書式の電子ファイルで受領した新規の隔離−警報関係関係付けリスト１４０を読み込む。ステップＳ８２では、一項目毎にすでに隔離−警報関係ＤＢ２１１に格納済の隔離−警報関係付けリスト１４０と照合する。ここで、一項目毎とは、図２１における通番欄１４１の１行毎のことである。
【０１９０】
ステップＳ８３では、既に格納済か否かをチェックする。既に格納済の場合（Ｙｅｓ）は、ステップＳ８５へ進み、格納済でない場合（Ｎｏ）は、ステップＳ８４へ進む。
ステップＳ８４では、隔離−警報関係ＤＢ２１１に、
（１）警報信号名称が一致する。
（２）ＩＢＤシートＮｏが一致する。
（３）ＩＢＤシートＮｏが既に格納済みのものに近い。
の優先順位で、追加格納する。つまり、格納するときに、新たな項を単純にリストの最後尾に追加するのではなく、警報信号名称やＩＢＤシートＮｏから目視でも検索し易いように並び替えをしながら追加する。
【０１９１】
ステップＳ８５では、ステップＳ８１で読み込んだ新規の隔離−警報関係付けリスト１４０にまだ、処理してない項目が残っているか否かをチェックする。処理してない項目が残っている場合（Ｙｅｓ）は、ステップＳ８２に戻り、次の項目の処理を繰り返す。処理してない項目が残っていない場合（Ｎｏ）は、読み込んだ隔離−警報関係付けリスト１４０の格納処理を終了し、読み込んだ隔離−警報関係付けリスト１４０は、一時記憶から消去する。
【０１９２】
以上で、図２２に示す隔離−警報関係付けリスト１４０を隔離−警報関係ＤＢ２１１に蓄積する処理を終了する。
【０１９３】
《故障警報原因の検索》
次に図２１、図２３から図２５を参照しながら顧客の中央制御室の技術者や顧客保全管理部門の技術者が、中央制御室端末装置４又は管理端末装置７を用いて故障警報原因検索サーバ計算機６００による警報信号名称等に基づく警報信号の原因となっている機器を迅速に検索したり、その警報信号の原因に関係すると思われる機器の範囲を迅速検索したりする方法について説明する。
図２３から図２５は、故障警報原因検索サーバ計算機における隔離−警報関係ＤＢと図面ＤＢを用いた警報信号発生の原因機器を検索する制御の流れを示すフローチャートである。
【０１９４】
ステップＳ９１では、故障警報原因検索サーバ計算機６００は、端末装置４，７からの顧客担当者による故障警報原因検索サーバ計算機６００へのアクセスを受けたか否かをチェックする。アクセスを受けた場合（Ｙｅｓ）は、ステップＳ９２へ進み、そうでない場合（Ｎｏ）は、ステップＳ９１を繰り返す。
ステップＳ９２では、表示装置に表示されている警報信号名称（符号表示）（図１３の凡例１３７では、「ＲＡＬ０２９５−２４」が対応）と、その警報信号名称（符号表示）の表示とともに表示されているソフトロジック図シートＮｏ（図１３の凡例１３７では、「ＲＡＬ４０７７」が対応）の入力を受付ける。
【０１９５】
なお、表示装置に表示されている警報信号名称（符号表示）やソフトロジック図シートＮｏは、主要な又は重要な警報信号の場合は、中央制御室のコンソールの表示装置に表示される。しかし、補助的な警報信号名称（符号表示）の場合は、中央制御室のコンソールの表示装置には、制御盤に警報が出ていることを示す表示のみが表示され、それを受けて運転員や技術者がその制御盤の表示装置を見に行き、その制御盤の表示装置の状態表示から警報信号名称（符号表示）と、それの記載されているソフトロジック図シートＮｏを見ることができる。
【０１９６】
ステップＳ９３では、入力された警報信号名称（符号表示）に基づいて、隔離−警報関係ＤＢ２１１に格納されている隔離−警報関係付けリスト１４０（図２１参照）を検索する。
ステップＳ９４では、隔離−警報関係付けリスト１４０内に、入力された警報信号名称（符号表示）があるか否かチェックする。入力された警報信号名称（符号表示）がある場合（Ｙｅｓ）は、ステップＳ９５へ進み、無い場合（Ｎｏ）は、ステップＳ９７へ進む。
ステップＳ９５では、その警報信号名称（符号表示）を含む隔離−警報関係付けリスト１４０の項を端末装置４，７の表示装置に表示する。
【０１９７】
ステップＳ９６では、表示された隔離−警報関係付けリスト１４０の項に含まれる、ソフトロジック図、ＰＩ／Ｏテーブル図及びその警報信号名称（符号表示）を含むＥＣＷＤを端末装置４，７の表示装置に表示し、当該の警報信号名称（符号表示）を色変え表示する。この色変え表示により、ソフトロジック図、ＰＩ／Ｏテーブル図、ＥＣＷＤの注目点が端末装置４，７の操作者に容易に見つけられる。
【０１９８】
ちなみに、隔離−警報関係付けリスト１４０には、ＰＩ／Ｏテーブル図シートＮｏが記載されていることにより当該のＰＩ／Ｏテーブル図シートＮｏが容易に見つけられるが、それが無くても、図面ＤＢ２０３Ｃ内のＥＣＷＤ情報２０３ｃ、ソフトロジック図情報２０３ｄ、ＰＩ／Ｏテーブル図情報２０３ｅの各図面を検索するための属性情報Ｃ，Ｄ，Ｅ（図４参照）には信号名称（符号表示）が含まれているので、故障警報原因検索サーバ計算機６００の図書・図面ＤＢ検索部２４４Ａ（図１では省略）の機能により、容易に検索して表示できる。
ステップＳ９６の後、結合子（Ｊ）に従って、図２４のステップＳ１０３へ進む。
【０１９９】
ステップＳ９７では、隔離−警報関係付けリスト１４０内に、入力されたソフトロジック図シートＮｏがあるか否かをチェックする。力されたソフトロジック図シートＮｏがある場合（Ｙｅｓ）は、ステップＳ９８へ進み、無い場合（Ｎｏ）は、結合子（Ｋ）に従って図２５のステップＳ１０８へ進む。
ステップＳ９８では、そのソフトロジック図シートＮｏを含む隔離−警報関係付けリスト１４０の項を端末装置４，７の表示装置に表示する。その後、結合子（Ｌ）に従って図２４のステップＳ９９へ進む。
【０２００】
ステップＳ９９では、当該のソフトロジック図を端末装置４，７の表示装置に表示し、入力された警報信号名称（符号表示）を図面上で検索する。
ステップＳ１００では、入力された警報信号名称（符号表示）があるか否かをチェックし、ある場合（Ｙｅｓ）は、ステップＳ１０１へ進み、無い場合（Ｎｏ）は、結合子（Ｋ）に従って図２５のステップＳ１０８へ進む。
ステップＳ１０１では、当該のソフトロジック図の図面上の入力された警報信号名称（符号表示）を色変え表示する。
ステップＳ１０２では、入力された警報信号名称（符号表示）が含まれるＰＩ／Ｏテーブル図及びＥＣＷＤを端末装置４，７の表示装置表示し、それらの図面上でその警報信号名称（符号表示）を色変え表示する。
【０２０１】
ステップＳ９５の表示、又はステップＳ９８の表示により、図２１の隔離−警報関係付けリスト１４０の検索表示された通番欄１４１の単数、又は複数の項により、入力された警報信号名称（符号表示）により、どの系統名（欄１４２参照）のどの機器（欄１４３参照）が関係しているのか、それが点検保守作業時の主機器か従機器かの判定（欄１４５参照）、関連する主機器（欄１４６参照）、当該機器の記載されている図面のシートＮｏ（欄１４７参照）が分かる。従ってこの機器に関係する警報であることが迅速に分かる。
【０２０２】
系統図（Ｐ＆ＩＤ）、単線結線図、ＩＢＤ等の上流設計図書の図面の検索には経験が深いが、ＥＣＷＤ、ソフトロジック図、ＰＩ／Ｏテーブル図の図面の検索にはそれ程堪能で無い技術者でも容易に、ＩＢＤの警報信号名称からＥＣＷＤ、ソフトロジック図、ＰＩ／Ｏテーブル図を迅速に検索できる。そして、更に、制御盤内のどのコントローラ等詳細な機器のどれが原因かをつきとめる場合は、更に、図面ＤＢ２０３Ｃの検索を進める必要がある。
そのために、この画面には、更に詳細な調査を続けるか、これで終了するかを入力する「調査続行」、「終了」のアイコンボタンがこの画面には表示されている。
【０２０３】
ステップＳ１０３では、これより詳細な調査を行うか否かをチェックする。「調査続行」のアイコンボタンが操作された場合（Ｙｅｓ）は、ステップＳ１０４へ進み、「終了」のアイコンボタンが操作された場合（Ｎｏ）は、終了する。
ステップＳ１０４では、表示されているソフトロジック図の図面上で、上流側の信号名称（符号表示）の指定を受付ける。
【０２０４】
ステップＳ１０５では、指定された信号名称（符号表示）を含むソフトロジック図、ＰＩ／Ｏテーブル図、ＥＣＷＤを表示し、指定された信号名称（符号表示）を色変え表示する。この色変え表示により、更に上流の信号名称（符号表示）、又はＡＮＤ論理パターン、ＯＲ論理パターン等の各種の論理パターンに入力される他の信号名称（符号表示）が見つけ易くなる。この画面状態では、更に詳細な調査を続けるか、これで終了するかを入力する「調査続行」、「終了」のアイコンボタンがこの画面には表示されている。
【０２０５】
ステップＳ１０６では、これより詳細な調査を行うか否かをチェックする。「調査続行」のアイコンボタンが操作された場合（Ｙｅｓ）は、ステップＳ１０７へ進み、「終了」のアイコンボタンが操作された場合（Ｎｏ）は、終了する。
ステップＳ１０７では、複数表示されているソフトロジック図のどれかの指定を受付ける。この指定は、例えば、マウス操作で矢印の指示マークを目的のソフトロジック図上の白地部分に移動させ、その状態でダブルクリック等の操作をすることでフトロジック図の指定操作ができる。
その後ステップＳ１０４へ戻る。
【０２０６】
ステップＳ９７、又はステップＳ１００から結合子（Ｋ）に従ってステップＳ１０８へ進むと、入力された警報信号名称（符号表示）に基づいて、図面ＤＢ２０３Ｃから当該警報信号名称（符号表示）を含むＩＢＤ、ソフトロジック図、ＰＩ／Ｏテーブル図、ＥＣＷＤを端末装置４，７の表示装置に表示し、入力された警報信号名称（符号表示）をそれぞれの図面上で色変え表示する。その後ステップＳ１０９に進み系統名を表示する。
ＩＢＤ情報２０３ｆ（図１３ではＩＢＤ情報２０３ｆの内のＩＢＤ（警報出力）の図面２０３ｆ１を表示）の図面には系統名欄１３１（図１３参照）があり、入力された警報信号名称（符号表示）から系統名が容易に検索表示できる。
ステップＳ１０９ののち、結合子（Ｍ）に従って、図２４のステップＳ１０３へ進む。
以上で警報信号名称等に基づく警報信号の原因となっている機器を迅速に検索したり、その警報信号の原因に関係すると思われる機器の範囲を迅速検索したりする処理が終了する。
【０２０７】
本実施形態における図１６から図２０のフローチャートのステップＳ３２，Ｓ３６Ｂ，Ｓ４０，Ｓ６１，Ｓ７１は、特許請求の範囲に記載の「図面検索工程」に対応し、ステップＳ３５，Ｓ３６Ａ，Ｓ３７，Ｓ４２，Ｓ５０，Ｓ６２，Ｓ６４，Ｓ７３，Ｓ７６は、特許請求の範囲に記載の「隔離時操作状態設定工程」に対応し、ステップＳ４２〜Ｓ４５，Ｓ５０〜Ｓ５３，Ｓ５５は、特許請求の範囲に記載の「隔離情報リスト作成工程」に対応する。
【０２０８】
また、図２２のフローチャートは、特許請求の範囲に記載の「隔離情報リスト蓄積工程」に対応し、図２３から図２５のフローチャートは、特許請求の範囲に記載の「警報信号原因推定工程」に対応する。そして、作業管理サーバ計算機２００、現場保守支援サーバ計算機３００、故障警報原因検索サーバ計算機６００が、特許請求の範囲に記載の「計算機」に対応する。
【０２０９】
本実施形態によれば、保守点検工事の際に作成される養生リスト（作成途中段階）８０の作成の過程で隔離−警報関係付けリスト１４０を作成して隔離−警報関係ＤＢ２１１に蓄積できる。蓄積された隔離−警報関係付けリスト１４０からＩＢＤに記載の警報信号を生じる可能性のある制御盤や制御盤の中に含まれるコントローラを迅速にリスト表示できる。その結果、警報信号発生の原因機器を特定又はその範囲を特定推定することができる。従って、保守点検工事を計画する熟練技術者の情報を容易に利用して、顧客の技術者でも警報信号の原因となる機器を迅速に推定することができる。
【０２１０】
また、本実施形態では、ＩＢＤ情報２０３ｆもＣＡＤ図面情報として属性情報Ｆを持たせて、ＰＩ／Ｏテーブル図、ソフトロジック図、信号名称を有するＥＣＷＤを検索可能としたので、実際にプラントの運転中に警報信号が発生した場合だけでなく、警報信号名称等を入力とした原因検索訓練にも使用できる。
つまり、ＩＢＤ情報２０３ｆの任意の図面を表示した状態で、警報信号出力を選択指定して、図２３から図２５のフローチャートにより原因機器を特定する訓練がプラントの運転中、停止中に関係なく行え、顧客の技術者の技量向上に役立てることができる。
【０２１１】
なお、本実施形態では、顧客側に故障警報原因検索サーバ計算機６００を配置し、その中に図書・図面ＤＢ検索部２４４Ａの機能や故障警報原因検索機能を動作させるものとしたがそれに限定されるものではない。故障警報原因検索サーバ計算機６００を業者現場保守管理部門に配置して、端末装置４，７からネットワーク３を介して故障警報原因検索サーバ計算機６００にアクセスして動作させる構成でも良い。
【符号の説明】
【０２１２】
１      プラント設備管理保守支援システム
４      中央制御室端末装置
４，７，９，１０  端末装置
３６    記録欄
３７    隔離時記録欄
６２，６４  電動弁
６２−１  制御盤コントローラ
６２−２  現場スイッチ
６２−３  リミットスイッチセンサ
６３    ポンプ
６３−１  制御盤コントローラ
６３−２  現場温度計
６４    電動弁
６４−１  制御盤コントローラ
６４−１ａ  切替スイッチ
６５    ポンプドレイン弁
６６，６７    手動弁
６９，７９  隔離範囲
８０    養生リスト
９１    隔離警報欄
９２    参考非隔離警報欄
１００  設備管理サーバ計算機
１４０  隔離−警報関係付けリスト（隔離情報リスト）
２００  作業管理サーバ計算機（計算機）
２０３Ｂ，２０３Ｃ  図面ＤＢ（図面記憶手段）
２０３ａ  Ｐ＆ＩＤ情報
２０３ｂ  単線結線図情報
２０３ｃ  ＥＣＷＤ情報
２０３ｄ  ソフトロジック図情報
２０３ｅ  ＰＩ／Ｏテーブル図情報
２０３ｆ  ＩＢＤ情報
２０３ｇ  プラント運用ルール情報
２０６ａ  作業票情報
２０６ｂ  作業タグ情報
２１１  隔離−警報関係ＤＢ（隔離情報リスト蓄積手段）
２２１  発注情報管理部
２２３  Ｐ＆ＩＤ隔離作業要領作成支援部
２２４  単線結線図隔離作業要領作成支援部
２２５  ＥＣＷＤ隔離作業要領作成支援部
２４４Ａ，２４４Ｂ  図面ＤＢ検索部（図面検索手段）
２５５  隔離−警報関係編集部（隔離情報リスト作成手段）
３００  現場保守支援サーバ計算機（計算機）
３４２  要領書作成部
３４７Ａ  養生リスト編集部（隔離時操作状態設定手段）
３４７Ｂ  隔離−警報関係付けリスト編集部（隔離情報リスト作成手段）
３６２  報告書作成部
３６８  隔離−警報関係付けリスト編集部
２５５  隔離−警報関係編集部
６００  故障警報原因検索サーバ計算機（警報信号原因推定手段、計算機））
【図１】
0005469589.tif 000002
【図２】
0005469589.tif 000003
【図３】
0005469589.tif 000004
【図４】
0005469589.tif 000005
【図５】
0005469589.tif 000006
【図６】
0005469589.tif 000007
【図７】
0005469589.tif 000008
【図８】
0005469589.tif 000009
【図９】
0005469589.tif 000010
【図１０】
0005469589.tif 000011
【図１１】
0005469589.tif 000012
【図１２】
0005469589.tif 000013
【図１３】
0005469589.tif 000014
【図１４】
0005469589.tif 000015
【図１５】
0005469589.tif 000016
【図１６】
0005469589.tif 000017
【図１７】
0005469589.tif 000018
【図１８】
0005469589.tif 000019
【図１９】
0005469589.tif 000020
【図２０】
0005469589.tif 000021
【図２１】
0005469589.tif 000022
【図２２】
0005469589.tif 000023
【図２３】
0005469589.tif 000024
【図２４】
0005469589.tif 000025
【図２５】
0005469589.tif 000026